(57)【特許請求の範囲】
【請求項１】
表面に静電潜像が形成される像担持体と、
前記像担持体の表面に順次形成される複数の静電潜像を、互いに色の異なるトナーによって現像する複数の現像器と、
前記複数の現像器にそれぞれ供給する互いに色の異なるトナーを収容する複数のトナー容器と、
前記複数の現像器と複数のトナー容器の組のうち、少なくとも２つ以上を搭載し、画像形成動作を開始する際に移動を開始する位置であるホーム位置と、前記複数の現像器のうちのいずれか１つの現像器で現像を行う現像位置と、前記トナー容器を交換する位置である交換位置を含む経路で移動する移動体と、
前記複数のトナー容器内のトナー残量を直接的又は間接的に検出するトナー残量検出手段と、
を有する画像形成装置において、
前記トナー残量検出手段により特定色のトナー容器が実質的にトナー無しと検出された場合は、前記移動体により前記トナー容器の交換位置へ特定色のトナー容器を移動させ、
前記トナー残量検出手段により前記特定色以外のトナー容器が実質的にトナー無しと検出された場合は、前記移動体をホーム位置で待機させるとともに、ユーザーが前記トナー容器の交換指示を入力する交換指示手段の交換指示に従って前記交換位置へ当該特定色以外のトナ―容器を移動させる制御を行う制御手段を備えたことを特徴とする画像形成装置。
【請求項２】
前記特定色のトナー容器は、黒色のトナー容器であることを特徴とする請求項１記載の画像形成装置。
【発明の詳細な説明】
【技術分野】
【０００１】
この発明は、電子写真方式等を採用したプリンタや複写機、ファクシミリ、あるいはこれらの機能を兼ね備えた複合機等の画像形成装置に関し、特に、ロータリー方式の現像装置を備えた画像形成装置に関するものである。
【背景技術】
【０００２】
【特許文献１】特開２００４−２７１９５６号公報
【特許文献２】特開平０９−１８５２５３号公報
【０００３】
従来、この種の電子写真方式等を採用したプリンタや複写機、ファクシミリ、あるいはこれらの機能を兼ね備えた複合機等の画像形成装置としては、単一の感光体ドラムを備え、当該感光体ドラム上にイエロー（Ｙ）、マゼンタ（Ｍ）、シアン（Ｃ）、黒（Ｋ）等の各色のトナー像を順次形成し、この感光体ドラム上に順次形成されるイエロー（Ｙ）、マゼンタ（Ｍ）、シアン（Ｃ）、黒（Ｋ）等の各色のトナー像を、中間転写ベルト上に互いに重ね合わせた状態で一次転写した後、当該中間転写ベルトから用紙上に一括して二次転写するとともに定着することにより、フルカラーの画像を形成するように構成した、所謂４サイクル方式の画像形成装置がある。
【０００４】
かかる４サイクル方式の画像形成装置では、感光体ドラム上に形成されるイエロー（Ｙ）、マゼンタ（Ｍ）、シアン（Ｃ）、黒（Ｋ）の各色の画像に対応した静電潜像を現像するため、現像装置として、回転可能に構成された現像装置本体の周方向に沿って、イエロー（Ｙ）、マゼンタ（Ｍ）、シアン（Ｃ）、黒（Ｋ）の各色に対応した現像器を配設した所謂“ロータリー方式" の現像装置が用いられている。
【０００５】
このロータリー方式の現像装置は、現像装置本体を回転させることにより、現像する色に対応した色の現像器を、感光体ドラムと対向する現像位置へと移動させ、当該現像位置に移動した現像器によって、感光体ドラム上に形成された静電潜像を所定の色のトナーにより現像するように構成されている。また、上記ロータリー方式の現像装置には、各色の現像器に、対応する色のトナーあるいはトナーとキャリアからなる現像剤を供給するため、イエロー（Ｙ）、マゼンタ（Ｍ）、シアン（Ｃ）、黒（Ｋ）の各色のトナー容器が、対応する色の現像器に隣接した状態で装着されている。
【０００６】
そして、上記ロータリー方式の現像装置は、イエロー（Ｙ）、マゼンタ（Ｍ）、シアン（Ｃ）、黒（Ｋ）の各色の現像器内のトナー濃度を、トナー濃度検知手段によって直接的又は間接的に検知し、当該現像器内のトナー濃度が所定の濃度以下になったことが検知された場合には、トナー容器から現像器へと対応する色のトナーを供給するように構成されている。
【０００７】
また、上記ロータリー方式の現像装置では、各色の現像器内のトナー濃度を、トナー濃度検知手段によって直接的又は間接的に検知した結果等に基づいて、トナー容器内のトナー残量がエンド状態（空状態）あるいはエンド状態に近いニアエンド状態になったことが検知された場合には、ユーザーに対して、トナー容器の交換を指示し、トナー容器を新しいものと交換するべく促すようになっている。
【０００８】
その際、上記ロータリー方式の現像装置では、トナー容器の交換を指示した際に、交換するトナー容器が交換位置に移動するように、現像装置本体を回動させる必要があり、当該現像装置本体の回動には、ある程度の時間を必要とするため、ユーザーがプリント等を行うことができないロス時間が発生するという問題点を有していた。
【０００９】
そこで、かかる問題点を解決し得る技術としては、例えば、特開２００４−２７１９５６号公報や特開平０９−１８５２５３号公報等に開示された技術が、既に提案されている。
【００１０】
上記特開２００４−２７１９５６号公報に係る画像形成装置は、互いに異なる色のトナーを収容する複数のトナー容器と、前記複数のトナー容器を搭載し交換位置を含む経路で移動する移動体と、前記複数のトナー容器内のトナー残量を検出する検出手段と、を有し、前記検出手段により実質的にトナー無しとされたトナー容器を前記移動体により前記交換位置へ移動させて交換可能に構成した画像形成装置において、前記検出手段により実質的にトナー無しとされたトナー容器が複数ある場合、前記交換位置へ優先的に移動させるトナー容器を選択する選択手段を有するように構成したものである。
【００１１】
また、上記特開平０９−１８５２５３号公報に係る画像形成装置は、移動自在に支持された複数の現像器と、この複数の現像器のそれぞれに補給されるトナーを収容し、かつ前記複数の現像器に対して着脱自在に装着された複数のトナー収容器とを備え、所定の交換位置に停止しているトナー収容器のみ交換可能となるように構成された画像形成装置において、交換すべきトナー収容器を検索する検索手段と、所定のトナー収容器を前記交換位置に移動する移動手段と、画像形成の終了時に、交換すべきトナー収容器を前記検索手段により検索するとともに、検索された交換すべきトナー収容器を前記移動手段により交換位置まで移動させる制御手段とを備えるように構成したものである。
【発明の開示】
【発明が解決しようとする課題】
【００１２】
しかしながら、上記従来技術の場合には、次のような問題点を有している。すなわち、上記特開２００４−２７１９５６号公報や特開平０９−１８５２５３号公報に係る画像形成装置の場合には、いずれも、検出手段や検索手段により、実質的にトナー無しとされて交換すべきトナー容器が検出されると、交換位置へ強制的に移動させるように構成したものであるが、実質的にトナー無しとされたトナー容器がある場合であっても、他の色、例えば白黒の画像を出力可能な場合もある。
【００１３】
そのため、上記特開２００４−２７１９５６号公報や特開平０９−１８５２５３号公報に係る画像形成装置のように、トナー無しとされたトナー容器がある場合に、一律に、交換位置へ強制的に移動させるように構成した場合には、トナー容器の交換を行わずに、トナーのある現像器によって画像の出力を継続したいユーザーにとっては、トナー容器の交換位置に強制的に移動されたロータリー現像ユニットを、画像形成のジョブをスタート毎に現像位置に移動させる動作を行わなければならず、かえってジョブをスタートしてから画像出力が開始されるまでの待ち時間が余分に掛かってしまうという問題点を有していた。
【００１４】
また、上記特開平０９−１８５２５３号公報に係る画像形成装置の場合には、ジョブが終了する毎に、交換すべきトナー容器が検索されると、トナー容器の交換位置へロータリー現像ユニットを移動させる必要があり、やはり、その分の動作時間も余計に掛かってしまうという問題点を有していた。
【００１５】
さらに、上記特開２００４−２７１９５６号公報や特開平０９−１８５２５３号公報に係る画像形成装置の場合には、実質的にトナー無しとされたトナー容器が存在する場合や、交換すべきトナー容器が検索されると、常にトナー容器が交換位置に強制的に移動させられ、当該交換位置において、トナー容器が新しいものと交換される可能性があるため、装置の電源ＯＮ時やカバーのクローズ時には、トナーのリカバリー動作を常に行わなければならず、やはり、画像形成動作が開始可能な状態になるまでに時間が掛かってしまうという問題点をも有していた。
【００１６】
そこで、この発明は、上記従来技術の問題点を解決するためになされたものであり、その目的とするところは、トナー容器内のトナー残量がニアエンド状態あるいはエンド状態となったことを検知した場合であっても、直ちに、トナー容器の交換位置への移動を行わず、トナー残量がニアエンド状態あるいはエンド状態となったトナーの色が特定色の場合にのみ、トナー容器の交換位置への移動を行うことによって、ユーザーのトナー容器の交換を容易とする操作性と、画像形成動作を継続したいユーザーの生産性向上のニーズの双方を同時に満足することが可能な画像形成装置を提供することにある。
【００１７】
また、この発明の他の目的とするところは、トナー容器内のトナー残量がニアエンド状態あるいはエンド状態となったことを検知した場合であっても、ユーザーのトナー容器の交換を容易とする操作性と、画像形成動作を継続したいユーザーの生産性向上のニーズの双方を同時に満足することが可能な画像形成装置を提供することにある。
【課題を解決するための手段】
【００１８】
すなわち、請求項１に記載された発明は、表面に静電潜像が形成される像担持体と、
前記像担持体の表面に順次形成される複数の静電潜像を、互いに色の異なるトナーによって現像する複数の現像器と、
前記複数の現像器にそれぞれ供給する互いに色の異なるトナーを収容する複数のトナー容器と、
前記複数の現像器と複数のトナー容器の組のうち、少なくとも２つ以上を搭載し、画像形成動作を開始する際に移動を開始する位置であるホーム位置と、前記複数の現像器のうちのいずれか１つの現像器で現像を行う現像位置と、前記トナー容器を交換する位置である交換位置を含む経路で移動する移動体と、
前記複数のトナー容器内のトナー残量を直接的又は間接的に検出するトナー残量検出手段と、
を有する画像形成装置において、
前記トナー残量検出手段により特定色のトナー容器が実質的にトナー無しと検出された場合は、前記移動体により前記トナー容器の交換位置へ特定色のトナー容器を移動させ、
前記トナー残量検出手段により前記特定色以外のトナー容器が実質的にトナー無しと検出された場合は、前記移動体をホーム位置で待機させるとともに、ユーザーが前記トナー容器の交換指示を入力する交換指示手段の交換指示に従って前記交換位置へ当該特定色以外のトナ―容器を移動させる制御を行う制御手段を備えたことを特徴とする画像形成装置である。
【００１９】
また、請求項２に記載された発明は、前記特定色のトナー容器は、黒色のトナー容器であることを特徴とする請求項１記載の画像形成装置である。
【発明の効果】
【００４１】
この発明によれば、トナー容器内のトナー残量がニアエンド状態あるいはエンド状態となったことを検知した場合であっても、直ちに、トナー容器の交換位置への移動を行わず、トナー残量がニアエンド状態あるいはエンド状態となったトナーの色が特定色の場合にのみ、トナー容器の交換位置への移動を行うことによって、ユーザーのトナー容器の交換を容易とする操作性と、画像形成動作を継続したいユーザーの生産性向上のニーズの双方を同時に満足することが可能な画像形成装置を提供することができる。
【００４２】
また、この発明によれば、トナー容器内のトナー残量がニアエンド状態あるいはエンド状態となったことを検知した場合であっても、ユーザーのトナー容器の交換を容易とする操作性と、画像形成動作を継続したいユーザーの生産性向上のニーズの双方を同時に満足することが可能な画像形成装置を提供することができる。
【発明を実施するための最良の形態】
【００４３】
以下に、この発明の実施の形態について図面を参照して説明する。
【００４４】
実施の形態１
図２はこの発明の実施の形態１に係る画像形成装置としての４サイクル方式のフルカラープリンタを示すものである。
【００４５】
図２において、１は画像形成装置本体としてのフルカラープリンタの本体を示すものであり、このフルカラープリンタ本体１の内部には、略中央のやや上部に、像担持体としての感光体ドラム２が回転可能に配設されている。この感光体ドラム２としては、例えば、表面にＯＰＣ等よりなる感光体層が被覆された導電性円筒体からなるものが用いられ、図示しない駆動手段により、矢印方向に沿って所定のプロセススピードで回転駆動される。上記感光体ドラム２の表面は、当該感光体ドラム２の直下近傍に配置された帯電手段としての帯電ロール３によって所定の電位に帯電された後、感光体ドラム２の斜め下方の離れた位置に配置された露光手段としてのＲＯＳ４  （Ｒａｓｔｅｒ  Ｏｕｔｐｕｔ  Ｓｃａｎｎｅｒ）によって、レーザービーム（ＬＢ）による黒（Ｋ）、イエロー（Ｙ）、マゼンタ（Ｍ）、シアン（Ｃ）の各色の画像情報に対応した画像露光が順次施され、各色の画像情報に応じた静電潜像が形成される。上記感光体ドラム２上に順次形成される静電潜像は、黒（Ｋ）、イエロー（Ｙ）、マゼンタ（Ｍ）、シアン（Ｃ）の各色の現像器５Ｋ、５Ｙ、５Ｍ、５Ｃを周方向に沿って配置したロータリー方式の現像ユニット５によって現像され、所定の色のトナー像となる。なお、上記各色の現像器５Ｋ、５Ｙ、５Ｍ、５Ｃ、には、隣接して配設されたトナー容器としてのトナーカートリッジ６Ｋ、６Ｙ、６Ｍ、６Ｃから、対応する色のトナーを少なくとも含む現像剤が供給されるように構成されている。この実施の形態では、現像剤として、トナーとキャリアとからなる二成分現像剤が供給されるようになっている。なお、現像剤としては、トナーのみからなる一成分の現像剤を用いても勿論良い。
【００４６】
その際、上記感光体ドラム２の表面には、形成する画像の色に応じて、帯電・露光・現像の各工程が、所定回数だけ繰り返される。上記ロータリー方式の現像ユニット５は、対応する色の現像器５Ｋ、５Ｙ、５Ｍ、５Ｃ、が、感光体ドラム２と対向する現像位置に順次移動するように構成されている。例えば、フルカラーの画像を形成する場合、感光体ドラム２の表面には、帯電・露光・現像の各工程が、黒（Ｋ）、イエロー（Ｙ）、マゼンタ（Ｍ）、シアン（Ｃ）の各色に対応して合計４回繰り返され、当該感光体ドラム２の表面には、黒（Ｋ）、イエロー（Ｙ）、マゼンタ（Ｍ）、シアン（Ｃ）の各色に対応したトナー像が順次形成される。また、白黒の画像を形成する場合、感光体ドラム２の表面には、帯電・露光・現像の各工程が、黒（Ｋ）のみに対応して１回だけ実行され、黒（Ｋ）色に対応したトナー像がのみ形成される。さらに、例えば、イエロー（Ｙ）とマゼンタ（Ｍ）の２色の画像を形成する場合、感光体ドラム２の表面には、帯電・露光・現像の各工程が、イエロー（Ｙ）とマゼンタ（Ｍ）の２色に対応して２回にわたって実行され、イエロー（Ｙ）及びマゼンタ（Ｍ）色に対応したトナー像が形成される。
【００４７】
上記感光体ドラム２上に順次形成される黒（Ｋ）、イエロー（Ｙ）、マゼンタ（Ｍ）、シアン（Ｃ）等の各色のトナー像は、感光体ドラム２の外周に中間転写体としての中間転写ベルト７が接触するように配置された一次転写位置において、当該中間転写ベルト７上に互いに重ね合わされた状態で、一次転写ロール８によって一次転写される。この中間転写ベルト７上に多重に転写された黒（Ｋ）、イエロー（Ｙ）、マゼンタ（Ｍ）、シアン  （Ｃ）等のトナー像は、二次転写ロール９によって、所定のタイミングで給紙される記録媒体としての記録用紙１０上に一括して二次転写される。記録用紙１０は、フルカラープリンタ本体１の下部に配置された給紙カセット１１から、フィードロール１２によって送り出されるとともに、当該フィードロー１２及びリタードロール１３によって１枚ずつ捌かれた状態で給紙され、用紙搬送路１４を介してレジストロール１５によって中間転写ベルト７上に転写されたトナー像と同期した状態で、中間転写ベルト７の二次転写位置へと搬送される。
【００４８】
上記中間転写ベルト７は、複数のロールによって張架されており、感光体ドラム２と等しい所定のプロセススピードで循環移動するように回転駆動される。この中間転写ベルト７は、ドライブロール１６と、一次転写ロール８と、アイドラーロール１７と、テンションロール１８と、二次転写ロール９に中間転写ベルト７を介して当接するバックアップロール１９とによって、所定のテンションで張架されている。
【００４９】
また、上記中間転写ベルト７は、上記の如く、複数のロール８、１６〜１９によって張架されているが、この実施の形態では、フルカラープリンタ本体１の小型化を図るため、中間転写ベルト７が張架される断面形状が、偏平な細長い略三角形状となるように構成されている。
【００５０】
さらに、この実施の形態では、図２に示すように、フルカラープリンタの全体が可能な限り小型化されているが、フルカラープリンタ本体１の大きなスペースをロータリー方式の現像ユニット５が占めている。そのため、上記フルカラープリンタ本体１は、装置の小型化を達成しつつ、中間転写ベルト７やロータリー方式の現像ユニット５などのメンテナンス性を向上させるように設計されている。具体的に、上記中間転写ベルト７は、図２に示すように、感光体ドラム２や帯電ロール３、更には二次転写ロール９を含めて、一体的に交換ユニットとしての画像形成ユニット２０を構成しており、フルカラープリンタ本体１の上部から側面に掛けて開閉自在に設けられた上部カバー２１を開くことによって、画像形成ユニット２０の全体がフルカラープリンタ本体１に対して着脱自在となるように構成されている。また、上部カバー２１は、支点２２を中心にして開閉するように構成されており、当該支点２２の近傍には、上部カバー２１の開閉を検知する開閉検知センサ２３が設けられている。
【００５１】
また、上記中間転写ベルト７のクリーニング装置２４は、図２に示すように、ドライブロール１６によって張架された中間転写ベルト７の表面に当接するように配置されたクリーニングブレード２５を備えており、このクリーニングブレード２５によって除去された残留トナーや紙粉は、搬送部材２６により搬送されて回収されるようになっている。なお、上記クリーニング装置２４は、揺動軸２７を中心にして、図中時計周り方向に揺動可能に配置されており、最終色のトナー像の二次転写が終了するまでは、中間転写ベルト７の表面から離間した位置に退避しているとともに、最終色のトナー像の二次転写が終了すると、中間転写ベルト７の表面に当接するように構成されている。
【００５２】
さらに、上記中間転写ベルト７からトナー像が転写された記録用紙１０は、図２に示すように、定着器２８へと搬送され、この定着器２８の加熱ロール２９及び加圧部材３０によって熱及び圧力でトナー像が記録用紙１０上に定着され、当該定着器２８を含む定着ユニット３１に設けられた排出ロール３２によって、排出口３３を介してプリンタ本体１の上部に設けられた排出トレイ３４上に排出される。
【００５３】
なお、トナー像の転写工程が終了した後の感光体ドラム２の表面は、当該感光体ドラム２が１回転する毎に、感光体ドラム２の左側面に配置されたクリーニング装置３５のクリーニングブレード３６によって、残留トナーなどが除去されるとともに、イレーズランプ３７による露光を受けて残留電荷が消去され、次の画像形成工程に備えるようになっている。
【００５４】
図３は、この実施の形態に係る現像装置としてのロータリー方式の現像ユニット５を示す断面構成図である。
【００５５】
このロータリー方式の現像装置５は、図３に示すように、垂直面内で回転可能に配置された回転する移動体としての円筒状に形成された現像装置本体４０を備えている。現像装置本体４０は、その中心に長手方向に沿って配設された円柱状の回転軸部材４１と、当該回転軸部材４１の長手方向の手前側の端部に配設された図示しないフロント側のフランジ部材と、前記回転軸部材４１の長手方向の奥側の端部に配設された図示しないリア側のフランジ部材と、回転軸部材４１とフロント側及びリア側のフランジ部材によって形成される円筒形状の空間を９０度毎に４つに仕切る平板状の仕切り部材４２とを備えている。
【００５６】
上記現像装置本体４０は、図３に示すように、回転軸部材４１を中心にして、時計回り方向に沿って回転可能にプリンタ本体１に取り付けられている。この現像装置本体４０には、黒（Ｋ）、イエロー（Ｙ）、マゼンタ（Ｍ）、シアン（Ｃ）の４つの現像器５Ｋ、５Ｙ、５Ｍ、５Ｃが、反時計回りの周方向に沿って実装されているとともに、これらの現像器５Ｋ、５Ｙ、５Ｍ、５Ｃに隣接して黒（Ｋ）、イエロー（Ｙ）、マゼンタ（Ｍ）、シアン（Ｃ）の４つのトナーカートリッジ６Ｋ、６Ｙ、６Ｍ、６Ｃが、周方向に沿って実装されている。
【００５７】
図４は上記黒（Ｋ）、イエロー（Ｙ）、マゼンタ（Ｍ）、シアン（Ｃ）の現像器５Ｋ、５Ｙ、５Ｍ、５Ｃを示すものである。
【００５８】
これらの現像器５Ｋ、５Ｙ、５Ｍ、５Ｃは、すべて同様に構成されているので、ここでは、黒（Ｋ）の現像器５Ｋを例にして説明すると、この黒（Ｋ）の現像器５Ｋは、図４に示すように、現像器本体４５を備えており、当該現像器本体４５の内部には、その上部に配設されたトナーカートリッジ６Ｋから新しいトナーが供給されるように構成されている。
【００５９】
上記現像器本体４５の内部には、図４に示すように、当該現像器本体４５の外周に面して設けられた開口部４６に一部が露出するように配置され、紙面に垂直な方向に長尺な現像ロール４７と、この現像ロール４７の背面側の斜め下方に位置し、当該現像ロール４７と平行に延びる２本のスパイラルオーガ４８、４９が配設されている。上記現像ロール４７は、現像器本体４５の略全長にわたって配設されている。上記現像器５Ｋでは、図４に示すように、現像ロール４７が回転すると、奥側のスパイラルオーガ４９が、現像器本体４５内に収容されている現像剤５０を紙面と垂直な一方向に攪拌しながら搬送する。一方、手前側のスパイラルオーガ４８は、スパイラルオーガ４９の搬送方向とは逆方向に現像剤５０を攪拌しながら搬送して、当該現像剤５０を現像ロール４７に均等に供給するものである。上記スパイラルオーガ４８、４９が現像剤５０を搬送する搬送路は、その長手方向の両端部で互いに連通しており、現像剤５０が循環移動するようになっている。上記現像ロール４７の表面に供給された現像剤５０は、層厚規制部材５１によって層厚が規制され、現像ロール４７の回転に伴なって、感光体ドラム２と対向する現像領域へと搬送される。なお、この実施の形態では、現像剤５０として、トナーとキャリアとからなる二成分の現像剤を使用しているが、現像剤５０としては、少なくともトナーを含んでいればよく、トナーのみからなる一成分の現像剤を使用しても勿論良い。
【００６０】
上記現像ロール４７は、図４に示すように、内部に固定した状態で配設されるマグネットロール４７ａによって、現像剤５０中に含まれるキャリアを磁力で吸着し、当該現像ロール４７の表面に現像剤５０の磁気ブラシを形成し、キャリアに吸着したトナーを感光体ドラム２と対向する現像領域へと搬送する。そして、感光体ドラム２上に形成された静電潜像は、現像ロール４７の表面に形成されたキャリアとトナーとからなる現像剤５０の磁気ブラシによって顕像化されるようになっている。
【００６１】
また、上記トナーカートリッジ６Ｋは、図５に示すように、その断面形状が円形状の長尺な円筒形状の容器からなる。このトナーカートリッジ６Ｋは、新しい現像剤５３を収容する現像剤収容部５２を備え、必要に応じて、使用済みの現像剤を回収する現像剤回収部を別に備えるように構成されている。上記トナーカートリッジ６Ｋの長手方向の一端部には、当該トナーカートリッジ６の内部に収容されたトナー又はキャリアとトナーとからなる現像剤５０を供給する供給口５４が開口されており、当該供給口５４は、トナーカートリッジ６の外周に回動自在に嵌合された円筒形状のシャッター部材５５によって閉じられている。このシャッター部材５５には、トナーカートリッジ６Ｋの供給口５４に対応した位置に供給口５６が開口されている。なお、上記シャッター部材５５は、円筒形状に限らず、他の形状であっても勿論良い。
【００６２】
そして、上記トナーカートリッジ６Ｋは、図４に示すように、当該トナーカートリッジ６Ｋを現像装置本体４５の所定の位置に装着するとともに、所定の方向に回動することによって、新しい現像剤５３を供給可能となっている。また、上記トナーカートリッジ６Ｋの内部には、図５に示すように、当該トナーカートリッジ６の内部に収容された現像剤５３を攪拌しつつ、供給口５４から順次供給するための螺旋状に形成されたアジテーター５７が回転可能に配設されている。
【００６３】
さらに、上記現像器本体４５の背面側上部には、図４に示すように、トナーカートリッジ６Ｋの供給口５４から供給される現像剤５３を導入する導入口５８が開口されており、当該導入口５８から導入された現像剤５３は、現像器本体４５の背面側に配設された搬送用オーガ５９によって長手方向に沿って搬送された後、当該搬送用オーガ５９によって現像器本体４５内のスパイラルオーガ４９の上流側に供給されるように構成されている。
【００６４】
ところで、この実施の形態では、表面に互いに色の異なる画像情報に対応した複数の静電潜像が順次形成される像担持体と、前記像担持体の表面に順次形成される複数の静電潜像を、互いに色の異なるトナーによって現像する複数の現像器と、前記複数の現像器にそれぞれ供給する互いに色の異なるトナーを収容する複数のトナー容器と、前記複数の現像器と複数のトナー容器の組のうち、少なくとも２つ以上を搭載し、画像形成動作を開始する際に移動を開始する位置であるホーム位置と、前記複数の現像器のうちのいずれか１つの現像器で現像を行う現像位置と、前記トナー容器を交換する位置である交換位置を含む経路で移動する移動体と、前記複数のトナー容器内のトナー残量を直接的又は間接的に検出するトナー残量検出手段と、を有する画像形成装置において、前記トナー残量検出手段により特定色のトナー容器が実質的にトナー無しと検出された場合は、前記移動体により前記トナー容器の交換位置へ特定色のトナー容器を移動させる制御を行う制御手段を備えるように構成されている。
【００６５】
すなわち、この実施の形態に係るフルカラープリンタでは、図２に示すように、黒（Ｋ）、イエロー（Ｙ）、マゼンタ（Ｍ）、シアン（Ｃ）の現像器５Ｋ、５Ｙ、５Ｍ、５Ｃを、周方向に沿って配設したロータリー方式の現像ユニット５を備えている。
【００６６】
このロータリー方式の現像ユニット５は、図３に示すように、その現像ユニット本体４５が、図示しないリア側のフランジ部材に設けられた従動側のギア６０と、当該従動側のギア６０と噛み合う駆動モータ６１の駆動ギア６２とによって、時計周り方向に回転可能に構成されているとともに、当該現像ユニット本体４０は、その回転位置が図示しないエンコーダ等のセンサによって検知されるように構成されている。そして、上記現像ユニット本体４０は、画像形成動作を開始する際に移動を開始する位置であるホーム位置と、各現像器５Ｋ、５Ｙ、５Ｍ、５Ｃによって現像を行う現像位置と、各トナーカートリッジ６Ｋ、６Ｙ、６Ｍ、６Ｃを交換する位置である交換位置を含む経路で回転移動するようになっている。
【００６７】
上記現像ユニット本体４０のホーム位置は、図１に示すように、第１色目の黒（Ｋ）色の現像器５Ｋが、感光体ドラム２と対向する現像位置よりも、反時計周り方向に所定の角度（３０度）だけ上流側に停止した位置に設定されている。また、上記現像ユニット本体４０の現像位置は、図６に示すように、現像する色の現像器、例えば黒（Ｋ）色の現像器５Ｋの現像ロール２７が、感光体ドラム２と対向する位置である。さらに、上記現像ユニット本体４０のトナーカートリッジ６Ｋ、６Ｙ、６Ｍ、６Ｃの交換位置は、図７に示すように、各現像器５Ｋ、５Ｙ、５Ｍ、５Ｃの中間位置、つまり、例えば、黒（Ｋ）やイエロー（Ｙ）色等の隣接する現像器５Ｋ、５Ｙの中間（４５度）の位置に設定されている。このトナーカートリッジ６Ｋ、６Ｙ、６Ｍ、６Ｃの交換位置では、対応する色のトナーカートリッジが、プリンタ本体１の交換口６３で停止するように設定されている。
【００６８】
上記フルカラープリンタの本体１には、図２に示すように、その側面（図の手前側の面）に図示しないトナーカートリッジの交換等を行うメンテナンス用のカバーが開閉自在に設けられており、当該メンテナンス用のカバーを開いて、交換位置に設けられた交換口６３に停止したトナーカートリッジ６Ｋ、６Ｙ、６Ｍ、６Ｃを交換するようになっている。この交換位置では、図７に示すように、ロータリー方式の現像装置５に装着されたトナーカートリッジ６Ｋ、６Ｙ、６Ｍ、６Ｃを、図中手前側に引出すことによって取り出し、新しいトナーカートリッジ６Ｋ、６Ｙ、６Ｍ、６Ｃを、図中奥側に押し込むことによって装着するように構成されている。なお、上記トナーカートリッジ６Ｋ、６Ｙ、６Ｍ、６Ｃは、図６等に示すように、現像位置などの交換位置以外の位置では、着脱できないように構成されている。
【００６９】
また、上記ロータリー方式の現像ユニット５には、図６に示すように、トナーカートリッジ６Ｋ、６Ｙ、６Ｍ、６Ｃのトナー残量を検出するトナー残量検出手段としてのトナー残量検出センサ６４が配設されている。このトナー残量検出センサ６４は、現像位置に停止した現像器と１８０度異なる、反対側の現像器の現像ロール４７表面のトナー濃度を光学的に検出することによって、トナーカートリッジ６のトナー残量を間接的に検出するように構成されている。
【００７０】
更に説明すると、上記トナー濃度検出センサ６４は、所定のタイミングで、現像器の現像ロール４７表面のトナー濃度を検出することにより、当該現像ロール４７表面のトナー濃度が所定値以下であるか否かを検出するように構成されている。そして、上記トナー濃度検出センサ６４は、当該現像ロール４７表面のトナー濃度が所定値以下であることを検出した場合には、後述するコントローラーに信号を送り、当該コントローラーによって、トナーカートリッジ６Ｋ、６Ｙ、６Ｍ、６Ｃから対応する色の現像器５にトナーを所定時間だけ供給するようになっている。そして、上記トナー濃度検出センサ６４は、再度、現像器５の現像ロール４７表面のトナー濃度を検出し、当該現像ロール４７表面のトナー濃度が所定値を超えた場合には、トナーカートリッジ６Ｋ、６Ｙ、６Ｍ、６Ｃ内にトナーがあると検出し、当該現像ロール４７表面のトナー濃度が所定値以下の状態が所定回数以上続いた場合には、トナーカートリッジ６Ｋ、６Ｙ、６Ｍ、６Ｃ内にトナーが無いトナーエンプティ（空）状態であると検出する。
【００７１】
また、上記フルカラープリンタでは、例えば、後述するコントローラーによって、トナーカートリッジ６Ｋ、６Ｙ、６Ｍ、６Ｃを交換してからの総プリント枚数や、画像を形成した総画素数等をカウントすることにより、各トナーカートリッジ６Ｋ、６Ｙ、６Ｍ、６Ｃ内のトナー残量を予測制御し、当該トナーカートリッジ６Ｋ、６Ｙ、６Ｍ、６Ｃ内のトナー残量が上述したトナーエンプティ（空）状態になるまでに約５０枚程度プリント可能な状態を、トナーニアエンプテイ状態とし、このトナーニアエンプテイ状態と検出した場合には、トナーカートリッジ６Ｋ、６Ｙ、６Ｍ、６Ｃが間もなく空になることを、後述するユーザーインターフェース（ＵＩ）によってユーザーに通知するように構成されている。
【００７２】
ここでは、トナーエンプティ（空）状態及びトナーニアエンプテイ状態の双方を、実質的にトナー無しの状態と定義している。ただし、上記トナーニアエンプテイ状態は、トナーカートリッジ６Ｋ、６Ｙ、６Ｍ、６Ｃ内のトナー残量がトナーエンプティ（空）状態になるまでに約５０枚程度プリント可能な状態に限らず、他の状態に設定しても勿論良い。また、上記トナー濃度検出センサ６４により検出されたトナー濃度が所定値以下の状態が所定回数以上続いた場合にトナーニアエンプテイ状態とし、このトナーニアエンプテイ状態から約５０枚程度プリントした場合にトナーエンプテイ状態としても良い。
【００７３】
図８はフルカラープリンタの制御回路を示すブロック図である。
【００７４】
図８において、符号１００はフルカラープリンタの画像形成動作を制御するＣＰＵ等から構成された制御手段としてのコントローラーを示すものであり、このコントローラー１００は、トナー残量検出センサ６４により特定色のトナー容器が実質的にトナー無しと検出された場合は、現像ユニット本体４０によりトナーカートリッジ６Ｋ、６Ｙ、６Ｍ、６Ｃの交換位置へ特定色のトナーカートリッジを移動させる制御を行うように構成されている。ここで、特定色のトナーカートリッジは、黒（Ｋ）のトナーカートリッジ６Ｋに設定されている。
【００７５】
また、符号１０１は、ユーザーが操作する液晶表示操作パネル等からなるユーザーインターフェース（ＵＩ）を示すものであり、このユーザーインターフェース（ＵＩ）１０１は、プリントする用紙のサイズやプリント枚数、あるいはプリントする画像の色（白黒やフルカラー等）などを指定するように構成されている。さらに、上記ユーザーインターフェース（ＵＩ）１０１は、トナーカートリッジ６Ｋ、６Ｙ、６Ｍ、６Ｃの交換指示を入力する交換指示手段としての機能をも兼ね備えており、コントローラー１００は、ユーザーインターフェース（ＵＩ）１０１により交換指示があった場合は、現像ユニット本体４０によりトナーカートリッジの交換位置へ、交換指示のあった色のトナーカートリッジ６Ｋ、６Ｙ、６Ｍ、６Ｃを移動させて交換可能とするように構成されている。
【００７６】
上記ユーザーインターフェース（ＵＩ）１０１は、例えば、図９に示すように、プリンタ本体１の上部カバー２１の側面に配設されている。このユーザーインターフェース（ＵＩ）１０１は、液晶表示操作パネル等から構成されており、トナー残量確認・交換画面１０５は、図１０に示すように、黒（Ｋ）、イエロー（Ｙ）、マゼンタ（Ｍ）、シアン（Ｃ）の各トナーカートリッジ６Ｋ、６Ｙ、６Ｍ、６Ｃの残量及び交換時期か否かを表示するようになっている。そして、黒（Ｋ）、イエロー（Ｙ）、マゼンタ（Ｍ）、シアン（Ｃ）の各トナーカートリッジ６Ｋ、６Ｙ、６Ｍ、６Ｃの交換を行う場合には、交換するトナーカートリッジ６Ｋ、６Ｙ、６Ｍ、６Ｃの色を指定する指定ボタン１０６Ｋ、１０６Ｙ、１０６Ｍ、１０６Ｃを押動することによって、交換するトナーカートリッジ６Ｋ、６Ｙ、６Ｍ、６Ｃを指定するようになっている。
【００７７】
さらに、図８において、符号６４はトナー残量検出センサであり、このトナー残量検出センサ６４は、黒（Ｋ）、イエロー（Ｙ）、マゼンタ（Ｍ）、シアン（Ｃ）の４つのトナーカートリッジ６Ｋ、６Ｙ、６Ｍ、６Ｃ内のトナー残量を直接的又は間接的に検出するように構成されている。上記トナー残量検出センサ６４は、図６に示すように、現像位置の現像器と１８０度異なる位置に位置する現像器の現像ロール４７表面のトナー濃度を検出する光学濃度センサによって構成されており、このトナー濃度検出センサ６４は、上述したように、現像器の現像ロール４７表面のトナー濃度を検知することによって、トナーカートリッジ６Ｋ、６Ｙ、６Ｍ、６Ｃ内のトナー残量を検知するように構成されている。
【００７８】
さらに、図８において、符号１０２は、現像ユニット回転制御部を示しており、この現像ユニット回転制御部１０２は、コントローラー１００からの信号に基づいて、ロータリー方式の現像ユニット５の現像ユニット本体４０を回転駆動する駆動モータ６１の回転量を制御することにより、黒（Ｋ）、イエロー（Ｙ）、マゼンタ（Ｍ）、シアン（Ｃ）の現像器５Ｋ、５Ｙ、５Ｍ、５Ｃ、及び黒（Ｋ）、イエロー（Ｙ）、マゼンタ（Ｍ）、シアン（Ｃ）の４つのトナーカートリッジ６Ｋ、６Ｙ、６Ｍ、６Ｃを、ホーム位置、現像位置、交換位置等の所定の位置に移動させて停止させるように構成されている。
【００７９】
また、符号１０３は、画像形成処理部であり、この画像形成処理部１０３は、コントローラー１００からの信号に基づいて、感光体ドラム２や帯電ロール３、ＲＯＳ４、ロータリー方式の現像ユニット５、給紙カセット１１、中間転写ベルト７、一次転写ロール８、二次転写ロール９、定着器２８等の画像形成部における駆動や電圧の印加等を制御するように構成されている。
【００８０】
以上の構成において、この実施の形態１に係るフルカラープリンタでは、次のようにして、トナー容器内のトナー残量がニアエンド状態あるいはエンド状態となったことを検知した場合であっても、ユーザーのトナー容器の交換を容易とする操作性と、画像形成動作を継続したいユーザーの生産性向上のニーズの双方を同時に満足することが可能となっている。
【００８１】
すなわち、この実施の形態１に係るフルカラープリンタでは、図１１に示すように、コントローラー１００によって、所定のタイミングで、現像ユニット回転制御部１０２及びトナー残量検出センサ６４を動作させることにより、現像位置の反対側に各色の現像器５Ｋ、５Ｙ、５Ｍ、５Ｃを移動させ、当該各現像器５Ｋ、５Ｙ、５Ｍ、５Ｃの現像ロール４７表面のトナー濃度をトナー残量検出センサ６４によって検出することにより、対応するトナーカートリッジ６Ｋ、６Ｙ、６Ｍ、６Ｃのトナー残量を間接的に検出し（ステップ１０１）、当該トナーカートリッジ６Ｋ、６Ｙ、６Ｍ、６Ｃのトナー残量が、トナーニアエンド状態か否かを判定するとともに（ステップ１０２）、トナーエンド状態か否かを併せて判定するようになっている（ステップ１０３）。そして、上記コントローラー１００は、少なくとも１色のトナーカートリッジ６Ｋ、６Ｙ、６Ｍ、６Ｃがトナーエンド状態か否かを判別し（ステップ１０４）、少なくとも１色のトナーカートリッジ６Ｋ、６Ｙ、６Ｍ、６Ｃがトナーエンド状態であると判別した場合には、ユーザーインターフェース１０１にトナーエンド状態である旨を表示し（ステップ１０５）、ジョブを停止させる（ステップ１０６）。その後、コントローラー１００は、図１に示すように、ホーム位置に現像ユニット本体４０を移動させ（ステップ１０７）、当該動作を終了する。なお、上記ユーザーインターフェース１０１には、トナーエンド状態であるトナーカートリッジの色、及び当該トナーカートリッジを交換する必要がある旨等が表示される。
【００８２】
このとき、上記コントローラー１００は、ユーザーが白黒の画像プリントを希望する場合であって、トナーエンド状態であるトナーカートリッジ６Ｋ、６Ｙ、６Ｍ、６Ｃが黒色のトナーカートリッジ６Ｋでない場合には、そのままスタートボタンを押したり、プリント指示を出力することによって、直ちに白黒モードのプリント動作を開始することができるように制御するようになっている。
【００８３】
また、ユーザーがトナーエンド状態であるトナーカートリッジの交換を希望する場合には、図１０に示すように、トナー残量確認・交換画面１０５において、指定ボタン１０６Ｋ、１０６Ｙ、１０６Ｍ、１０６Ｃを押動することにより、交換を行うトナーカートリッジ６の色を指定して、交換を行うトナーカートリッジ６を、図７に示すように、交換位置に移動させるべく、現像ユニット本体４０を回転させ、交換口６３を介してトナーカートリッジ６を新しいものと交換するようになっている。このトナーカートリッジ６の交換時のように、トナーカートリッジが交換位置にある状態でメンテナンス用カバー１１０の開閉が行われた場合などには、後述するように、トナーリカバリー動作が行われる。
【００８４】
一方、上記コントローラー１００は、図１１に示すように、ステップ１０４において、少なくとも１色のトナーカートリッジ６Ｋ、６Ｙ、６Ｍ、６Ｃともトナーエンド状態でないと判別した場合には、少なくとも１色のトナーカートリッジ６Ｋ、６Ｙ、６Ｍ、６Ｃがトナーニアエンド状態であるか否かを判別する（ステップ１０８）。そして、少なくとも１色のトナーカートリッジ６Ｋ、６Ｙ、６Ｍ、６Ｃがトナーニアエンド状態であると判別した場合には、ユーザーインターフェース１０１にトナーニアエンド状態である旨を表示し（ステップ１０９）、ジョブエンドか否かを判別する（ステップ１１０）。そして、ジョブエンドでない場合には、ステップ１０１に戻り、ジョブエンドである場合には、現像ユニット本体４０をホーム位置に移動させて（ステップ１０７）、当該動作を終了する。
【００８５】
その後、トナーニアエンド状態であるトナーカートリッジ６Ｋ、６Ｙ、６Ｍ、６Ｃが存在すると判別された場合であって、ユーザーがトナーカートリッジの交換を希望する場合には、図１０に示すように、トナー残量確認・交換画面１０５において、指定ボタン１０６Ｋ、１０６Ｙ、１０６Ｍ、１０６Ｃを押動することにより、交換するトナーカートリッジ６Ｋ、６Ｙ、６Ｍ、６Ｃを指定して、トナーカートリッジ６Ｋ、６Ｙ、６Ｍ、６Ｃの交換を行うようになっている。
【００８６】
図１３はトナーリカバリー動作を示すフローチャートであり、トナーカートリッジが交換位置にある場合に行われる処理である。
【００８７】
このトナーリカバリー動作において、コントローラー１００は、プリンタの電源ＯＮ後か又はメンテナンス用のカバー１１０がクローズされた後であるか否かを判別した後（ステップ２０１）、電源ＯＮ後か又はカバークローズ後である場合には、トナーニアエンド又はトナーエンド状態の色があるか否かを判別する（ステップ２０２）。電源ＯＮ後か又はカバークローズ後でない場合、あるいはトナーニアエンド又はトナーエンド状態の色がない場合には、当該トナーリカバー動作を直ちに終了する。
【００８８】
ここで、プリンタの電源ＯＮ後か又はメンテナンス用のカバー１１０がクローズされた後であるか否かを判別するのは、これらの場合には、トナーカートリッジ６Ｋ、６Ｙ、６Ｍ、６Ｃが交換された可能性があるためである。
【００８９】
また、トナーニアエンド又はトナーエンド状態の色がある場合には、対象色のトナーカトリッジを現像位置へ移動させ（ステップ２０３）、現像ユニット５の駆動を開始した後（ステップ２０４）、現像ユニット本体４０を検出位置へ回転させ、トナー残量検出センサ６４によってトナー濃度の検出を行い（ステップ２０５）、トナー補給量を算出する
（ステップ２０６）。その後、上記コントローラー１００は、算出されたトナー補給量に基づいて、対応する現像器５にトナーカートリッジ６よりトナーを補給し（ステップ２０７）、現像器を駆動して攪拌する（ステップ２０８）。
【００９０】
さらに、上記コントローラー１００は、再度、トナー残量検出センサ６４によってトナー濃度の検出を行い（ステップ２０９）、トナー補給によるトナーリカバリー動作は成功か否かを判別する（ステップ２１０）。トナー補給によるトナーリカバリー動作が成功であった場合には、トナーニアエンド又はトナーエンド状態の色が他にもあるか否かを判別し（ステップ２１１）、トナーニアエンド又はトナーエンドの色が他にもある場合には、ステップ２０３に戻る。また、トナーニアエンド又はトナーエンド状態の色が他にない場合には、画像濃度のセットアップを行った後（ステップ２１２）、装置の駆動を停止して（ステップ２１３）、当該トナーリカバリー動作を終了する。
【００９１】
一方、トナー補給によるトナーリカバリー動作が成功でなかった場合には、トナーリカバリー動作のチェックを所定回数実施したか否かを判別し（ステップ２１４）、所定回数実施していない場合には、ステップ２０５に戻る。
【００９２】
また、所定回数実施した場合には、画像濃度のセットアップを行った後（ステップ２１２）、装置の駆動を停止して（ステップ２１３）、当該トナーリカバリー動作を終了するようになっている。
【００９３】
このように、上記実施の形態に係るフルカラープリンタでは、図１１に示すように、トナー残量検出センサ６４によって、トナーニアエンド又はトナーエンド状態のトナーカートリッジ６Ｋ、６Ｙ、６Ｍ、６Ｃがあると判定された場合であっても、直ちに、現像ユニット本体４０をトナーニアエンド又はトナーエンド状態のトナーカートリッジの交換位置へ移動させずに、現像ユニット本体４０をホーム位置に移動させるようになっている。
【００９４】
そのため、従来技術のように、トナーニアエンド又はトナーエンド状態のトナーカートリッジが、例えば、イエロー色のトナーカートリッジ６Ｙであった場合、図７に示すように、直ちに、イエロー（Ｙ）色のトナーカートリッジ６Ｙを交換位置に移動させてしまうと、ユーザーがイエロー（Ｙ）色のトナーカートリッジ６Ｙを交換せずに、白黒でのプリントを希望するときには、イエロー（Ｙ）色のトナーカートリッジ６Ｙが交換位置に位置する状態から、図６に示すように、黒（Ｋ）色のトナーカートリッジ６Ｋが現像位置に移動するまで、現像ユニット本体４０を時計周り方向に沿って３１５°回転させる必要がある。
【００９５】
これに対して、上記実施の形態では、トナーニアエンド又はトナーエンド状態のトナーカートリッジが、イエロー色のトナーカートリッジ６Ｙであった場合であっても、図１に示すように、現像ユニット本体４０をホーム位置に移動させるようになっているので、ユーザーがイエロー（Ｙ）色のトナーカートリッジ６Ｙを交換せずに、白黒でのプリントを希望するときには、黒（Ｋ）色のトナーカートリッジ６Ｋがホーム位置に位置する状態から、図６に示すように、黒（Ｋ）色のトナーカートリッジ６Ｋが現像位置に移動するまで、現像ユニット本体４０を３０°だけ回転させれば良いことになる。
【００９６】
そのため、上記実施の形態１では、トナーニアエンド又はトナーエンド状態のトナーカートリッジが、イエロー色のトナーカートリッジ６Ｙであれば、現像ユニット本体４０を２８５°（３１５−３０＝２８５）余計に回転させることなく、プリント動作を開始することができることになり、その分だけ待ち時間を増加させることなく、画像を出力することができ、生産性を向上させることが可能となる。
【００９７】
なお、上記余分な待ち時間は、トナーニアエンド又はトナーエンド状態のトナーカートリッジが、マゼンタ色のトナーカートリッジ６Ｍであれば１９５°、シアン色のトナーカートリッジ６Ｃであれば１０５°だけ、現像ユニット本体４０を回転させる時間に相当する時間となる。
【００９８】
また、上記実施の形態１では、トナーニアエンド又はトナーエンド状態のトナーカートリッジが存在する場合であっても、直ちに、現像ユニット本体４０を交換位置に移動させるものではないため、電源ＯＦＦ時やカバーオープン時にトナーカートリッジが交換されることなく、現像ユニット本体４０を交換位置に移動させた場合のように、装置の電源がＯＮ／ＯＦＦされたり、メンテナンス用カバー１１０が開閉される時に実行すべき、トナーリカバリー動作を実行する必要がなく、この点からも無駄な待ち時間が不要となり、生産性を向上させることが可能となる。また、トナーカートリッジ交換以外の場合にも、感光体や廃トナー容器などの消耗部品や定期交換部品の交換の際や用紙のジャム除去などの際に、メンテナンス用カバー開閉を行う構成からなる画像形成装置においても、不要なトナーリカバリー動作を実行する必要がなく、無駄な待ち時間が不要となり、生産性を向上させることが可能となる。
【００９９】
なお、ユーザーがトナーカートリッジの効果を希望する場合には、図１０に示すように、トナー残量確認・交換画面１０５において、いつでもトナーカートリッジを交換することができるので、操作性が低下することもない。
【０１００】
上記実施の形態では、トナーカートリッジの交換を行うことなく、画像形成動作を継続する例として、ユーザーが白黒モードでの画像形成動作を希望する場合を例に挙げたが、これに限定されるものではなく、トナーニアエンド又はトナーエンド状態のトナーカートリッジを使用しない画像形成モードであれば、例えば、カラーの単色モードや、複数指定色モード（例えば、黒とイエローの指定で、マゼンタとシアンを使用しない場合や、黒とレッド（イエロー＋マゼンタ）の指定で、シアンを使用しない場合などであっても良い。
【０１０１】
実施の形態１−２
図１４は上記実施の形態１の変形例を示すものであり、前記実施の形態１と同一の部分には同一の符号を付して説明すると、この実施の形態１−２では、トナー残量検出手段の検出結果に基づき、特定色のトナー容器が実質的にトナー無しと判定された場合に、現像ユニット本体を特定色のトナー容器の交換位置に移動させ、その他の場合は、現像ユニット本体をホーム位置に移動させて、待機させるように構成したものである。
【０１０２】
すなわち、この実施の形態１−２に係るフルカラープリンタでは、イエロー、マゼンタ、シアンのカラートナーのトナーカートリッジがトナーエンドであると検出された場合であっても、黒色等の特定色のみの画像形成が可能に構成されているとともに、特定色のトナーカートリッジがトナーエンドであると検出された場合は、画像形成動作を禁止するように構成されている。
【０１０３】
更に説明すると、上記フルカラープリンタでは、図１４に示すように、ステップ１０４において、少なくとも１色のトナーカートリッジ６Ｋ、６Ｙ、６Ｍ、６Ｃがトナーエンド状態であることが検出された場合には、ユーザーインターフェース１０１にトナーエンド状態である旨を表示し（ステップ１０５）、ジョブを停止させる（ステップ１０６）。その際、上記ユーザーインターフェース１０１には、トナーエンド状態であるトナーカートリッジの色、及び当該トナーカートリッジを交換する必要がある旨等が表示される。
【０１０４】
そして、上記コントローラー１００は、トナーエンド状態であると判定されたトナーカートリッジに、特定色である黒色のトナーカートリッジ６Ｋが含まれているか否かを判別し（ステップ１１１）、このトナーエンド状態であると判定されたトナーカートリッジに、特定色である黒色のトナーカートリッジ６Ｋが含まれている場合には、図１２に示すように、黒色のトナーカートリッジ６Ｋを交換位置に移動させるように、現像ユニット本体４０を移動させ（ステップ１１２）、当該トナー空検知及び現像ユニットの制御動作を終了する。この場合は、画像形成動作が禁止される。
【０１０５】
上記黒色のトナーカートリッジ６Ｋの交換は、図９に示すように、プリンタ本体１の側面に設けられたメンテンス用のカバー１１０を開いて、図１２に示すように、交換口６３を介してトナーカートリッジ６Ｋを新しいものと交換することによって行われる。このトナーカートリッジ６Ｋの交換時のように、トナーカートリッジが交換位置にある状態でメンテナンス用カバー１１０の開閉が行われた場合などには、前述したように、トナーリカバリー動作が行われる。
【０１０６】
また、上記コントローラー１００は、トナーエンド状態であると判定されたトナーカートリッジに、特定色である黒色のトナーカートリッジ６Ｋが含まれていないと判別した場合には、図１に示すように、現像ユニット本体４０をホーム位置に移動させ（ステップ１０７）、当該トナー空検知及び現像ユニットの制御動作を終了する。
【０１０７】
このとき、ユーザーが白黒の画像プリントを希望する場合には、そのままスタートボタンを押すことによって、直ちにプリント動作を開始することができるようになっている。
【０１０８】
一方、上記コントローラー１００は、図１４に示すように、ステップ１０４において、少なくとも１色のトナーカートリッジ６Ｋ、６Ｙ、６Ｍ、６Ｃともトナーエンド状態でないと判別した場合には、少なくとも１色のトナーカートリッジ６Ｋ、６Ｙ、６Ｍ、６Ｃがトナーニアエンド状態であるか否かを判別する（ステップ１０８）。そして、少なくとも１色のトナーカートリッジ６Ｋ、６Ｙ、６Ｍ、６Ｃがトナーニアエンド状態であると判別した場合には、ユーザーインターフェース１０１にトナーニアエンド状態である旨を表示し（ステップ１０９）、ジョブエンドか否かを判別する（ステップ１１０）。ジョブエンドでない場合には、ステップ１０１に戻り、ジョブエンドである場合には、現像ユニット本体４０をホーム位置に移動させて（ステップ１０７）、当該動作を終了する。
【０１０９】
このとき、ユーザーが白黒の画像プリントを希望する場合には、そのままスタートボタンを押すことによって、直ちにプリント動作を開始することができるようになっている。
【０１１０】
その後、ユーザーがフルカラーの画像プリントを希望する場合のように、特定色以外であって、トナーカートリッジの交換を希望する場合などには、図１０に示すように、トナー残量確認・交換画面１０５において、指定ボタン１０６Ｋ、１０６Ｙ、１０６Ｍ、１０６Ｃを押動することにより、交換するトナーカートリッジ６Ｙ、６Ｍ、６Ｃを指定するようになっている。
【０１１１】
このように、上記実施の形態１−２に係るフルカラープリンタでは、図１に示すように、非画像形成時における装置のホーム位置が、第１色目の色である黒（Ｋ）色の現像器５Ｋが、現像位置の上流側３０度の位置で、ロータリー方式の現像ユニット５が停止した状態に設定されている。そのため、プリント動作を開始する際には、ホーム位置にある現像ユニット５を時計周り方向に沿って３０度回転するだけで、直ちにプリント動作を開始することができる。また、このホーム位置では、トナーカートリッジの交換口６３からトナーカートリッジ６Ｋ、６Ｙ、６Ｍ、６Ｃの出し入れはできないようになっている。
【０１１２】
また、ホーム位置では、トナーカートリッジ６Ｋ、６Ｙ、６Ｍ、６Ｃの交換ができないように構成されており、電源ＯＦＦ時やカバーオープン時のトナーカートリッジ６Ｋ、６Ｙ、６Ｍ、６Ｃの誤った交換や、不要なトナーカートリッジ６Ｋ、６Ｙ、６Ｍ、６Ｃの取り外しを防止することができる。
【０１１３】
このように、上記実施の形態では、トナーカートリッジ内のトナー残量がニアエンド状態あるいはエンド状態となったことを検知した場合であっても、直ちに、トナーカートリッジの交換位置への移動を行わず、トナー残量がニアエンド状態あるいはエンド状態となったトナーの色が特定色（黒色）の場合にのみ、トナーカートリッジの交換位置への移動を行うことによって、ユーザーのトナーカートリッジの交換を容易とする操作性と、プリント動作を継続したいユーザーの生産性向上のニーズの双方を同時に満足することが可能となっている。また、特定色以外のトナーカートリッジが交換位置にいないため、電源ＯＦＦ時やカバーオープン時に特定色以外のトナーカートリッジが交換されることがなく、特定色以外のトナーカートリッジ内のトナー残量がニアエンド状態あるいはエンド状態となった場合であってもトナーリカバリー動作を実行する必要がなく、無断な待ち時間が不要となる。
【０１１４】
なお、上記実施の形態では、特定色が黒色である場合について説明したが、これに限定されるものではなく、特定色は黒色以外のカラー色であっても勿論良い。
また、上記特定色は、ユーザーがユーザーインターフェース１０１等を操作することによって、任意に設定可能に構成しても良い。
【０１１５】
その他の構成及び作用は、前記実施の形態１と同一であるので、その説明を省略する。
【０１１６】
実施の形態１−３
図１５は上記実施の形態１の他の変形例を示すものであり、前記実施の形態１と同一の部分には同一の符号を付して説明すると、この実施の形態１−３は、画像形成動作の途中に、トナー容器がトナーエンドと判定された場合等の動作に関するものである。
【０１１７】
すなわち、この実施の形態１−３に係るフルカラープリンタでは、図１５に示すように、コントローラー１００によって、プリントジョブの途中に、トナー残量検出センサ６４を動作させることにより、現像位置の反対側に位置する各色の現像器５Ｋ、５Ｙ、５Ｍ、５Ｃのトナー残量を検出して、対応するトナーカートリッジ６Ｋ、６Ｙ、６Ｍ、６Ｃのトナー残量を間接的に検出し（ステップ１０１）、当該トナーカートリッジ６Ｋ、６Ｙ、６Ｍ、６Ｃのトナー残量が、トナーニアエンド状態か否かを判定するとともに（ステップ１０２）、トナーエンド状態か否かを併せて判定するようになっている（ステップ１０３）。そして、上記コントローラー１００は、少なくとも１色のトナーカートリッジ６Ｋ、６Ｙ、６Ｍ、６Ｃがトナーエンド状態か否かを判別し（ステップ１０４）、少なくとも１色のトナーカートリッジ６Ｋ、６Ｙ、６Ｍ、６Ｃがトナーエンド状態である場合には、ユーザーインターフェース１０１にトナーエンド状態である旨を表示し（ステップ１０５）、ジョブを停止させる（ステップ１０６）。
【０１１８】
そして、コントローラー１００は、トナーエンド色のトナーカートリッジが交換位置に移動するように、現像ユニット本体４０を回転させ（ステップ１１３）、当該動作を終了する。
【０１１９】
そのため、ユーザーは、直ちに、トナーエンド色のトナーカートリッジを交換することができる。また、ユーザーは、トナーエンド色のトナーカートリッジの交換が不要であると判断した場合には、当該トナーカートリッジの交換をキャンセルすることによって、現像ユニット本体４０をホーム位置に回転させるようになっている。
【０１２０】
一方、上記コントローラー１００は、図１５に示すように、ステップ１０４において、少なくとも１色のトナーカートリッジ６Ｋ、６Ｙ、６Ｍ、６Ｃともトナーエンド状態でないと判別した場合には、少なくとも１色のトナーカートリッジ６Ｋ、６Ｙ、６Ｍ、６Ｃがトナーニアエンド状態であるか否かを判別する（ステップ１０８）。そして、少なくとも１色のトナーカートリッジ６Ｋ、６Ｙ、６Ｍ、６Ｃがトナーニアエンド状態であると判別した場合には、ユーザーインターフェース１０１にトナーニアエンド状態である旨を表示し（ステップ１０９）、ジョブエンドか否かを判別する（ステップ１１０）。そして、ジョブエンドでない場合には、ステップ１０１に戻り、ジョブエンドである場合には、現像ユニット本体４０をホーム位置に移動させて（ステップ１０７）、当該動作を終了する。
【０１２１】
その後、トナーニアエンド状態であるトナーカートリッジ６Ｋ、６Ｙ、６Ｍ、６Ｃが存在すると判別した場合やトナーエンド判定時にトナーカートリッジ交換をキャンセルしたトナーカートリッジを交換したい場合であって、ユーザーがフルカラーの画像プリントを希望する場合には、図１０に示すように、トナー残量確認・交換画面１０５において、指定ボタン１０６Ｋ、１０６Ｙ、１０６Ｍ、１０６Ｃを押動することにより、交換するトナーカートリッジ６Ｋ、６Ｙ、６Ｍ、６Ｃを指定して、トナーカートリッジ６Ｋ、６Ｙ、６Ｍ、６Ｃの交換を行うようになっている。
【０１２２】
このように、上記実施の形態１−３では、プリントジョブの途中にトナーエンド状態であるトナーカートリッジ６Ｋ、６Ｙ、６Ｍ、６Ｃが検出された場合には、当該トナーエンド状態であることが検出されたトナーカートリッジ６Ｋ、６Ｙ、６Ｍ、６Ｃを交換位置に移動させるため、トナーカートリッジの交換が必要とされる場合に、容易にトナーカートリッジの交換が可能であり、キャンセル時はホーム位置へ戻るため、トナーエンド色以外で画像出力を行う際も画像開始までの待ち時間が増えることなく、出力できる。
【０１２３】
なお、上記実施の形態１−３では、ジョブの途中に、トナー残量検出センサ６４によってトナーエンド状態のトナーカートリッジを検出するように構成した場合について説明したが、これに限定されるものではなく、ジョブの途中であって、しかも当該ジョブを実行するために必要とされるトナーカートリッジが、トナーエンド状態であることが検出された場合にのみ、当該トナーカートリッジを交換位置に移動させ、ジョブを実行するために必要とされるトナーカートリッジがトナーエンド状態でない場合には、たとえ、トナーエンド状態であるトナーカートリッジが検出されても、トナーカートリッジを交換位置に移動させることなく、ジョブを完結するように構成しても良い。
【０１２４】
その他の構成及び作用は、前記実施の形態１と同一であるので、その説明を省略する。
【０１２５】
実施の形態１−４
図１６は上記実施の形態１の更に他の変形例を示すものであり、前記実施の形態１と同一の部分には同一の符号を付して説明すると、この実施の形態１−４では、コピーやプリント、あるいはファックスなどの画像形成動作の開始時に、トナー残量検出センサ６４を動作させることにより、現像位置の反対側に位置する各色の現像器５Ｋ、５Ｙ、５Ｍ、５Ｃのトナー残量を検出して、形成される画像に必要なトナーカートリッジにトナーエンドと判定される色がある場合には、現像ユニット本体をトナーエンド色のトナーカートリッジの交換位置に移動させるように構成したものである。ここで、トナーエンド色のトナーカートリッジを交換位置に移動しているのにかかわらず、トナーカートリッジの交換がキャンセルされた場合は、該当ジョブをキャンセルするか、またはハードディスク（ＨＤ）等の記憶媒体に画像情報を一時的に記憶して、現像ユニット本体をホーム位置に移動させるようになっている。
【０１２６】
すなわち、この実施の形態１−４に係るフルカラープリンタでは、コピーやプリント、あるいはファックスなどの画像形成動作の開始時に、図１６に示すように、コントローラー１００によって、少なくとも１色のトナーカートリッジ６Ｋ、６Ｙ、６Ｍ、６Ｃがトナーエンド状態か否かが判別され（ステップ１２１）、少なくとも１色のトナーカートリッジともトナーエンド状態でないと判別された場合には、画像形成動作が実施され（ステップ１２６）、当該処理を終了する。
【０１２７】
また、上記コントローラー１００は、少なくとも１色のトナーカートリッジでもトナーエンド状態であると判別された場合には、トナーエンドの色は形成画像情報に含まれるか否かを判別し（ステップ１２２）、トナーエンドの色は形成画像情報に含まれている場合には、該当トナーエンド色のトナーカートリッジを交換位置に現像ユニット本体４０を移動させ（ステップ１２３）、トナーエンドの色は形成画像情報に含まれていない場合には、画像形成動作を実施して（ステップ１２６）、当該処理を終了する。
【０１２８】
次に、コントローラー１００は、トナーカートリッジの交換が行われたか否かを判別し（ステップ１２４）、当該トナーカートリッジの交換が行われるまで待機する。その後、トナーカートリッジの交換が行われた場合には、図１３に示すトナーリカバリー動作を実行した後（ステップ１２５）、画像形成動作を実施し（ステップ１２６）、当該処理を終了するようになっている。
【０１２９】
このように、上記実施の形態１−４では、画像形成動作を開始する際に、形成される画像情報の中にトナーエンド色が含まれるか否かを判別し、トナーエンド色が含まれる場合には、トナーカートリッジを交換位置へ移動するため、トナー交換が必要とされる場合に容易にトナー交換が可能であり、キャンセル時はホーム位置に戻るため、トナーエンド色以外で画像出力を行う際も画像開始までの待ち時間が増えることなく、出力することができる。
【０１３０】
なお、上記実施の形態１−４では、画像形成動作を開始する際に、トナーエンドと判定された色があるか否かを判別する場合について説明したが、これに限らず、装置の電源ＯＮ時にトナーエンドと判定された色があるあるか否かを判別し、トナーエンドと判定された色がある場合には、現像ユニット本体をトナーエンド色のトナーカートリッジの交換位置に移動させるように構成しても良い。また、トナーエンド色のトナーカートリッジを交換位置に移動しているのにもかかわらず、トナーカートリッジの交換がキャンセルされた場合は、現像ユニット本体はホーム位置へ戻るように構成される。
【０１３１】
また、装置の電源ＯＮ時にユーザーにトナーエンド色があることを報知する場合には、トナーカートリッジの交換位置へ移動するため、トナー交換が必要とされる場合にのみ容易にトナー交換が可能であり、キャンセル時は、ホーム位置へ戻るため、トナーエンド色以外で画像出力を行う際も画像開始までの待ち時間が増えることなく、出力することができる。また、特定色以外のトナーカートリッジが交換位置にいないため、電源ＯＦＦ時やカバーオープン時に特定色以外のトナーカートリッジが交換されることがなく、特定色以外のトナーカートリッジ内のトナー残量がニアエンド状態あるいはエンド状態となった場合であってもトナーリカバリー動作を実行する必要がなく、無断な待ち時間が不要となる。
【０１３２】
その他の構成及び作用は、前記実施の形態１と同一であるので、その説明を省略する。
【０１３３】
なお、上記実施の形態では、特定色のトナー容器が黒色のトナーカートリッジである場合について説明したが、これに限定されるものではなく、特定色は、他のカラーのトナー容器であってもよく、あるいは、特定色のトナー容器としては、第５の現像器として設けられるセキュリティ情報を埋め込む蛍光色等の色のトナーを収容したトナー容器であるように構成しても良い。
【０１３４】
また、上記実施の形態では、トナー残量検出手段が現像器の現像ロール表面のトナー濃度を検出することによって、間接的にトナーカートリッジ内のトナー残量を検出する場合について説明したが、これに限定されるものではなく、図１７に示すように、各色の現像器に設けられた透磁率センサ等からなるトナー濃度センサ１２０を用いるように構成しても良い。
【０１３５】
さらに、上記トナー残量検出手段としては、図１８に示すように、中間転写ベルト７上に現像器内のトナー濃度制御用のトナーパッチを形成し、当該トナーパッチの濃度を画像濃度センサ１２１で検出したり、図１９に示すように、トナーカートッジ内のトナー残量をトナー残量センサ１２２で直接検出したりするように構成しても良い。また、トナー残量検出手段としてセンサを用いずに、トナー補給時間やトナー補給回数の積算値などのトナー補給量に関する情報や、画像ピクセルや露光発光時間の積算値などの画像密度に関する情報によりトナー残量を検出しても良い。また、図２０に示すように、トナーカートリッジにトナー残量等を記憶する情報記憶手段としての無線クラム１２３を設けるとともに、プリンタ本体１側に装着される無線クラム１２３から非接触状態で情報を読み取る情報読取手段としての読取部１２４を備え、当該読取部１２４によって無線クラム１２３に記憶されたトナー残量を読み取るように構成しても良い。
【０１３６】
また、上記実施の形態では、図２に示すように、黒（Ｋ）、イエロー（Ｙ）、マゼンタ（Ｍ）、シアン（Ｃ）の４つのトナーカートリッジ６Ｋ、６Ｙ、６Ｍ、６Ｃを同じ大きさに設定した場合について説明したが、これに限定されるものではなく、図２１に示すように、黒色のトナーカートリッジを他の色のトナーカートリッジに対して大きく設定しても良い。
【０１３７】
さらに、上記実施の形態では、図２に示すように、黒（Ｋ）、イエロー（Ｙ）、マゼンタ（Ｍ）、シアン（Ｃ）の現像器及びトナーカートリッジ６Ｋ、６Ｙ、６Ｍ、６Ｃを移動体に一体的に取り付けた場合について説明したが、これに限定されるものではなく、図２２に示すように、黒色の現像器及び黒色のトナーカートリッジを感光体ドラムの外周に直接配置するように構成し、他の色の現像器及びトナーカートリッジを移動体に取り付けるように構成しても良い。
【０１３８】
また、上記実施の形態では、図２に示すように、黒（Ｋ）、イエロー（Ｙ）、マゼンタ（Ｍ）、シアン（Ｃ）の４つのトナーカートリッジ６Ｋ、６Ｙ、６Ｍ、６Ｃを、当該トナーカートリッジの長手方向に沿って着脱するように構成した場合について説明したが、これに限定されるものではなく、図２３に示すように、黒（Ｋ）、イエロー（Ｙ）、マゼンタ（Ｍ）、シアン（Ｃ）の４つのトナーカートリッジ６Ｋ、６Ｙ、６Ｍ、６Ｃを、プリンタ本体１の上部に設けられた上部カバー２１を開けて容器交換口６３から、移動体の外周に沿って着脱するように構成しても良い。
【０１３９】
また、上記実施の形態では、トナーカートリッジと現像装置があり、当該トナーカートリッジが着脱されるように構成した場合について説明したが、これに限定されるものではなく、トナーカートリッジを有さない画像形成装置で、現像装置のトナー残量が無くなると現像装置を交換位置へ移動し、現像装置を着脱するように構成しても良い。
したがって、本発明において、トナー容器とは、文字通り、トナーを収容した容器であり、当該トナー容器は、現像器と一体的に形成されており、現像器そのものがトナー容器を兼ねてても良い。
【０１４０】
実施の形態２
図２４はこの発明の実施の形態２を示すものであり、前記実施の形態１と同一の部分には同一の符号を付して説明すると、この実施の形態２では、移動体のホーム位置を特定色のトナー容器の交換位置と同じ位置に設定するように構成されている。
である。
【０１４１】
また、この実施の形態では、前記移動体のホーム位置において、前記複数の現像器がすべて非現像位置に位置するように構成されている。
【０１４２】
さらに、この実施の形態では、前記トナー残量検出手段により特定色以外のトナー容器が実質的にトナー無しと検出された場合は、前記移動体により当該実質的にトナー無しと検出されたトナー容器を交換位置へ移動させるように構成されている。
【０１４３】
すなわち、この実施の形態２では、図２４に示すように、ホーム位置である黒色の現像器５Ｋが現像位置の上流側３０度の位置に位置する場合に、黒色のトナーカートリッジ６Ｋが交換位置に位置し、交換口６３を介して交換可能となるように構成されている。また、上記現像器が感光体ドラムと対向する現像位置においては、図２５に示すように、いずれのトナーカートリッジ６Ｋ、６Ｙ、６Ｍ、６Ｃも交換位置とは異なる位置にあり、トナーカートリッジ６Ｋ、６Ｙ、６Ｍ、６Ｃの交換が行えないようになっている。
【０１４４】
この実施の形態に係るフルカラープリンタでは、図２６に示すように、前記実施の形態１と同様に、コントローラー１００によって、所定のタイミングで、現像ユニット回転制御部１０２及びトナー残量検出センサ６４を動作させることにより、現像位置の反対側に各色の現像器５Ｋ、５Ｙ、５Ｍ、５Ｃを移動させ、当該各色の現像器５Ｋ、５Ｙ、５Ｍ、５Ｃのトナー残量を検出することによって、対応するトナーカートリッジ６Ｋ、６Ｙ、６Ｍ、６Ｃのトナー残量を間接的に検出し（ステップ３０１）、当該トナーカートリッジ６Ｋ、６Ｙ、６Ｍ、６Ｃのトナー残量が、トナーニアエンド状態か否かを判定するとともに（ステップ３０２）、トナーエンド状態か否かを併せて判定するようになっている（ステップ３０３）。そして、上記コントローラー１００は、少なくとも１色のトナーカートリッジ６Ｋ、６Ｙ、６Ｍ、６Ｃがトナーエンド状態か否かを判別し（ステップ３０４）、少なくとも１色のトナーカートリッジ６Ｋ、６Ｙ、６Ｍ、６Ｃがトナーエンド状態である場合には、ユーザーインターフェース１０１にトナーエンド状態である旨を表示し（ステップ３０５）、ジョブを停止させる（ステップ３０６）。
【０１４５】
そして、上記コントローラー１００は、トナーエンド状態であると判定されたトナーカートリッジに、特定色である黒色のトナーカートリッジ６Ｋが含まれているか否かを判別し（ステップ３０７）、このトナーエンド状態であると判定されたトナーカートリッジに、特定色である黒色のトナーカートリッジ６Ｋが含まれている場合には、図２４に示すように、黒色のトナーカートリッジ６Ｋを交換位置と同じ位置に設定されたホーム位置に移動させるように、現像ユニット本体４０を移動させ（ステップ３０８）、当該トナー空検知及び現像ユニットの制御動作を終了する。
【０１４６】
上記黒色のトナーカートリッジ６Ｋの交換は、図９に示すように、プリンタ本体１の側面に設けられたメンテンス用のカバー１１０を開いて、図２４に示すように、交換口６３を介してトナーカートリッジ６Ｋを新しいものと交換することによって行われる。このトナーカートリッジ６Ｋの交換時のように、メンテナンス用カバー１１０の開閉が行われた場合などには、前述したように、トナーリカバリー動作が行われる。
【０１４７】
また、上記コントローラー１００は、トナーエンド状態であると判定されたトナーカートリッジに、特定色である黒色のトナーカートリッジ６Ｋが含まれていないと判別した場合には、図２７に示すように、例えば、イエロー色のトナーカートリッジ６Ｙがトナーエンド状態であるときは、該当する色のトナーカートリッジ６Ｙが交換位置にくるように、現像ユニット本体４０を移動させ（ステップ３０９）、当該トナー空検知及び現像ユニットの制御動作を終了する。
【０１４８】
このとき、交換位置において、必要に応じて、イエロー色のトナーカートリッジを交換するようになっている。
【０１４９】
一方、上記コントローラー１００は、図２６に示すように、ステップ３０４において、少なくとも１色のトナーカートリッジ６Ｋ、６Ｙ、６Ｍ、６Ｃともトナーエンド状態でないと判別した場合には、少なくとも１色のトナーカートリッジ６Ｋ、６Ｙ、６Ｍ、６Ｃがトナーニアエンド状態であるか否かを判別する（ステップ３１０）。そして、少なくとも１色のトナーカートリッジ６Ｋ、６Ｙ、６Ｍ、６Ｃがトナーニアエンド状態であると判別した場合には、ユーザーインターフェース１０１にトナーニアエンド状態である旨を表示し（ステップ３１１）、ジョブエンドか否かを判別する（ステップ３１２）。ジョブエンドでない場合には、ステップ３０１に戻り、ジョブエンドである場合には、現像ユニット本体４０をホーム位置に移動させて（ステップ３０８）、当該動作を終了する。
【０１５０】
また、少なくとも１色のトナーカートリッジ６Ｋ、６Ｙ、６Ｍ、６Ｃがトナーニアエンド状態でないと判別した場合には、ジョブエンドか否かを判別し（ステップ３１２）、ジョブエンドでない場合には、ステップ３１０に戻り、ジョブエンドである場合には、現像ユニット本体４０をホーム位置に移動させて（ステップ３０８）、当該動作を終了する。
【０１５１】
その後、ユーザーがフルカラーの画像プリントを希望する場合のように、特定色以外であって、トナーカートリッジの交換を希望する場合などには、図１０に示すように、トナー残量確認・交換画面１０５において、指定ボタン１０６Ｋ、１０６Ｙ、１０６Ｍ、１０６Ｃを押動することにより、交換するトナーカートリッジ６Ｙ、６Ｍ、６Ｃを指定するようになっている。
【０１５２】
なお、上記現像ユニット本体４０のホーム位置が非現像位置に設定されているのは、装置の非稼動時に、感光体ドラムと現像器の現像ロールとが近接することによる感光体ドラムへのトナー飛散を防止するためである。
【０１５３】
また、電源ＯＮ時も同様に、イエロー、マゼンタ、シアンのトナーカートリッジ６Ｙ、６Ｍ、６Ｃがトナーエンド状態でないと判別した場合には、ホーム位置に現像ユニット本体４０を移動させ、イエロー、マゼンタ、シアンの少なくとも１色がトナーエンド状態で、かつ黒色のカートリッジがトナーエンド状態でない場合は、該当色のトナーカートリッジが交換位置に移動するように、現像ユニット本体４０を回転させるように制御される。
【０１５４】
このように、上記実施の形態２では、イエロー、マゼンタ、シアンの少なくとも１色のトナーカートリッジ６Ｙ、６Ｍ、６Ｃがトナーエンド状態で、かつ黒色のカートリッジがトナーエンド状態でない場合は、常に、黒色のトナーカートリッジの交換位置であるホーム位置に現像ユニット本体４０を回転制御することにより、交換頻度の高い黒色のトナーカートリッジがいつでも容易に交換可能となる。
【０１５５】
特に、ファックスにおいては、ジョブの途中や夜間に黒色のトナーカートリッジがトナーエンド状態となって、プリンタが停止されると、多くのファックスジョブが出力されることなく、溜まってしまう虞れがあるため、業務に支障をきたすだけでなく、停電や装置の故障によってファックスのジョブデータが失われる可能性もある。そのため、トナーエンド状態だけでなく、トナーニアエンド状態やそれ以前に黒色のトナーカートリッジの交換を行うのが望ましく、いつでも容易に黒色のトナーカートリッジを交換可能にする必要がある。また、上記実施の形態２では、ホーム位置が黒色のトナーカートリッジの交換位置であるため、装置の電源がＯＦＦ状態であっても、容易に黒色のトナーカートリッジの交換を行うことができる。
【０１５６】
なお、上記実施の形態２では、装置の電源ＯＮ時やカバークローズ時には、基本的に、トナーリカバリー動作を行う必要があるが、トナーカートリッジの交換検知手段を設けることによって、トナーカートリッジが交換されていない場合には、トナーリカバリー動作を不要とすることも可能である。
【０１５７】
ただし、トナーカートリッジが交換されていない場合であっても、ユーザーがトナーリカバリー動作を必要とする場合も考えられることから、トナーリカバリー動作実行ボタン等を設けて、トナーリカバリー動作を行わせるように構成しても良い。
【０１５８】
その他の構成及び作用は、前記実施の形態１と同一であるので、その説明を省略する。
【０１５９】
実施の形態３
図２８はこの発明の実施の形態３を示すものであり、前記実施の形態１と同一の部分には同一の符号を付して説明すると、この実施の形態３では、前記移動体の現像位置を前記トナー容器の交換位置と同じ位置に設定するように構成されている。
【０１６０】
また、この実施の形態３では、前記トナー容器の交換を行うためのカバー部材を少なくとも１つ備え、単色モードである場合には、画像形成動作中に前記カバー部材が開いた状態であっても、画像形成動作を中止せずに、当該トナー容器の交換を可能とするように構成されている。
【０１６１】
さらに、この実施の形態では、前記単色モードは、白黒モードであるように構成されている。
【０１６２】
又、この実施の形態では、前記カバー部材には、当該カバー部材が開いた状態では、画像形成動作を禁止するロック制御手段を備え、前記トナー容器の交換が可能であると判別された場合には、前記ロック制御手段を解除するように構成されている。
【０１６３】
更に、この実施の形態では、前記トナー残量検出手段は、現像位置におけるトナー容器  のトナー残量を検出するように構成されている。
【０１６４】
また、この実施の形態では、前記移動体の現像位置において、前記トナー容器の交換を検知する交換検知手段を備えるように構成されている。
さらに、この実施の形態では、前記トナー容器の交換時に画像形成動作を一時中断し、当該トナー容器の交換後に画像形成動作を再開する制御手段を備えるように構成されている。
【０１６５】
すなわち、この実施の形態３では、図２８に示すように、ホーム位置が黒色の現像器５Ｋにおける現像位置の上流側３０度の位置に設定されている。なお、上記ホーム位置においては、同図に示すように、いずれのトナーカートリッジ６Ｋ、６Ｙ、６Ｍ、６Ｃも交換位置とは異なる位置にあり、トナーカートリッジ６Ｋ、６Ｙ、６Ｍ、６Ｃの交換が行えないようになっている。また、上記黒色等の現像器の現像位置では、図２９に示すように、黒色のトナーカートリッジ６Ｋが交換位置に位置し、交換口６３を介して交換可能となるように構成されている。
【０１６６】
この実施の形態に係るフルカラープリンタでは、図３０に示すように、前記実施の形態１と同様に、コントローラー１００によって、所定のタイミングで、現像ユニット回転制御部１０２及びトナー残量検出センサ６４を動作させることにより、現像位置の反対側に各色の現像器５Ｋ、５Ｙ、５Ｍ、５Ｃを移動させ、当該各色の現像器５Ｋ、５Ｙ、５Ｍ、５Ｃのトナー残量を検出することによって、対応するトナーカートリッジ６Ｋ、６Ｙ、６Ｍ、６Ｃのトナー残量を間接的に検出し（ステップ４０１）、当該トナーカートリッジ６Ｋ、６Ｙ、６Ｍ、６Ｃのトナー残量が、トナーニアエンド状態か否かを判定するとともに（ステップ４０２）、トナーエンド状態か否かを併せて判定するようになっている（ステップ４０３）。そして、上記コントローラー１００は、少なくとも１色のトナーカートリッジ６Ｋ、６Ｙ、６Ｍ、６Ｃがトナーエンド状態か否かを判別し（ステップ４０４）、少なくとも１色のトナーカートリッジ６Ｋ、６Ｙ、６Ｍ、６Ｃがトナーエンド状態である場合には、ユーザーインターフェース１０１にトナーエンド状態である旨を表示し（ステップ４０５）、ジョブを停止させる（ステップ４０６）。
【０１６７】
そして、上記コントローラー１００は、トナーエンド状態であると判定されたトナーカートリッジを交換位置に移動させるように、現像ユニット本体４０を回転させて（ステップ４０７）、当該処理を終了する。
【０１６８】
ユーザーは、図２９に示すように、交換位置において、トナーエンド状態であると判定されたトナーカートリッジの交換を行うことになる。
【０１６９】
一方、上記コントローラー１００は、図３０に示すように、ステップ４０４において、少なくとも１色のトナーカートリッジ６Ｋ、６Ｙ、６Ｍ、６Ｃともトナーエンド状態でないと判別した場合には、少なくとも１色のトナーカートリッジ６Ｋ、６Ｙ、６Ｍ、６Ｃがトナーニアエンド状態であるか否かを判別する（ステップ４０８）。そして、少なくとも１色のトナーカートリッジ６Ｋ、６Ｙ、６Ｍ、６Ｃがトナーニアエンド状態であると判別した場合には、ユーザーインターフェース１０１にトナーニアエンド状態である旨を表示し（ステップ４０９）、トナーニアエンド状態である該当色の単色モードであるか否かを判別する（ステップ４１０）。
【０１７０】
そして、上記コントローラー１００は、トナーニアエンド状態である該当色の単色モードであると判別した場合には、ユーザーインターフェース１０１にジョブ中にトナーカートリッジの交換が可能である旨を表示し（ステップ４１１）、ジョブエンドか否かを判別して（ステップ４１２）、ジョブエンドでない場合には、ステップ４０１に戻り、ジョブエンドである場合には、ホーム位置に現像ユニット本体４０を回転させ（ステップ４１３）、当該動作を終了する。
【０１７１】
その際、ユーザーインターフェース１０１にジョブ中にトナーカートリッジの交換が可能である旨を表示して、ユーザーによって、ジョブ中にトナーカートリッジの交換ボタンが押されると、交換口６３に位置するメンテナンス用のカバー１１０のロック機構が解除され、ジョブ中におけるトナーカートリッジの交換が可能となる。
【０１７２】
現像位置であるトナーカートリッジの交換位置には、トナーカートリッジの交換検知手段が設けられており、メンテナンス用のカバー１１０の開閉後に、トナーカートリッジの交換検知手段によって、トナーカートリッジが交換されたか否かの検知が行われる。トナーカートリッジが交換されたことが検知された場合には、ジョブ中のトナーカートリッジの交換可能状態を解除する。
【０１７３】
この間、ジョブの画像形成動作は実行されており、ジョブエンドになった場合においても、単色モードの現像位置で現像ユニット本体４０を待機させている。また、危険防止のため、このジョブ中のトナーカートリッジの交換可能状態においては、キャンセルボタンまたはトナーカートリッジの交換検知が行われるまで、現像ユニット本体４０を回転させる動作を禁止するように構成されている。
【０１７４】
このように、上記実施の形態４では、現像位置が現像色のトナーカートリッジの交換位置に設定されており、画像形成に用いているトナーカートリッジがトナーニアエンド状態になった場合でも、ジョブを停止させることなく、画像形成動作中にトナーカートリッジを交換することが可能となっており、トナーエンド状態となって装置が停止するのを待つことなく、トナーカートリッジを交換することができる。
【０１７５】
特に、ロータリー方式の現像ユニット５では、単色の白黒モードでの画像形成の頻度が高いため、単色の白黒モードにおけるジョブ中のトナーカートリッジの交換が実施可能となる。
【０１７６】
なお、上記実施の形態４では、トナー残量検出センサ６４によって、トナーカートリッジのトナーニアエンド状態が検出された場合に、トナーカートリッジの交換を行う場合について説明したが、トナーニアエンド状態でなくとも、ジョブ中にトナー容器交換ボタンが押された場合に、ジョブ中のトナーカートリッジの交換が実施可能となるように構成しても良い。
【０１７７】
また、ジョブ中にトナー容器交換ボタンが押された場合に、ジョブ中のトナーカートリッジの交換が実施可能となるように構成した場合には、ジョブ中にトナー容器交換ボタンが押されたことを検知すると、コントローラーは、一時ジョブを中断し、交換口６３のカバー１１０が開閉された後のトナーカートリッジの交換を、交換検知手段によって検知し、トナーカートリッジが装着されたことを検知した場合に、ジョブを再開するように構成しても良い。
【０１７８】
このように、ジョブ中におけるトナー容器の交換の際に、一時ジョブを中断することによって、トナーエンド状態で装置が停止するのを待つことなく、トナーカートリッジの交換が可能となるのは勿論のこと、トナーカートリッジの交換の際に発生する振動によって、画像乱れが発生するのを防止することができる。
【０１７９】
その他の構成及び作用は、前記実施の形態１と同一であるので、その説明を省略する。
【０１８０】
実施の形態４
図３１はこの発明の実施の形態４を示すものであり、前記実施の形態１と同一の部分には同一の符号を付して説明すると、この実施の形態４では、移動体に前記各トナー容器が装着されているか否かを検知する有無検知手段と、
前記有無検知手段によって、少なくとも１つのトナー容器が未装着であることを検知された場合であっても、前記トナー残量検出手段によって検出された当該トナー容器のトナー残量が所定残量以下でなければ、画像形成動作を実行するように制御する制御手段を備えるように構成されている。
【０１８１】
すなわち、この実施の形態４に係るフルカラープリンタでは、図３１に示すように、現像ユニット本体４０にトナーカートリッジが装着されているか否かを検知する有無検知手段としての機能と、当該トナーカートリッジが交換されたか否かを検知する交換検知手段としての機能とを兼ね備えた無線クラム１３０が設けられている。上記無線クラム１３０は、トナーカートリッジに装着される情報記録手段１３１と、プリンタ本体１側に装着される情報読取手段１３２とを備えるように構成されている。上記プリンタ本体１側に装着される情報読取手段１３２は、図３２に示すように、現像位置において、当該現像位置に位置するトナーカートリッジ６Ｋ、６Ｙ、６Ｍ、６Ｃの情報記録手段１３１から情報を読み取るように構成されている。なお、上記無線クラム１３０の情報読取手段１３２は、図３３に示すように、コントローラー１００に接続されている。
【０１８２】
上記トナーカートリッジ側の情報記録手段１３１には、トナーカートリッジを個別に識別するための情報が記憶されているのは勿論のこと、当該トナーカートリッジ内のトナーの色やトナー残量に関する情報などが記憶されている。
【０１８３】
この実施の形態４に係るフルカラープリンタでは、図３５に示すように、コントローラー１００によって、所定のタイミングで、現像ユニット回転制御部１０２及びトナー残量検出センサ６４を動作させることにより、現像位置の反対側に各色の現像器５Ｋ、５Ｙ、５Ｍ、５Ｃを移動させ、当該各現像器５Ｋ、５Ｙ、５Ｍ、５Ｃの現像ロール４７表面のトナー濃度をトナー残量検出センサ６４によって検出することにより、対応するトナーカートリッジ６Ｋ、６Ｙ、６Ｍ、６Ｃのトナー残量を間接的に検出し（ステップ５０１）、当該トナーカートリッジ６Ｋ、６Ｙ、６Ｍ、６Ｃのトナー残量が、トナーニアエンド状態か否かを判定するとともに（ステップ５０２）、トナーエンド状態か否かを併せて判定するようになっている（ステップ５０３）。
【０１８４】
次に、上記コントローラー１００は、無線クラムによって、すべてのトナーカートリッジ６Ｋ、６Ｙ、６Ｍ、６Ｃが現像ユニット本体に装着されているか否かを判別し（ステップ５０４）、当該トナーカートリッジ６Ｋ、６Ｙ、６Ｍ、６Ｃがあると判別した場合には、少なくとも１色のトナーカートリッジ６Ｋ、６Ｙ、６Ｍ、６Ｃがトナーエンド状態か否かを判別する（ステップ５０５）。また、いずれかのトナーカートリッジ６Ｋ、６Ｙ、６Ｍ、６Ｃがないと判別した場合には、ユーザーインターフェース１０１にトナーカートリッジが未装着である旨を表示して（ステップ５０６）、少なくとも１色のトナーカートリッジ６Ｋ、６Ｙ、６Ｍ、６Ｃがトナーエンド状態か否かを判別する（ステップ５０５）。
【０１８５】
そして、少なくとも１色のトナーカートリッジ６Ｋ、６Ｙ、６Ｍ、６Ｃがトナーエンド状態であると判別した場合には、ユーザーインターフェース１０１にトナーエンド状態である旨を表示し（ステップ５０７）、ジョブを停止させる（ステップ５０８）。その後、コントローラー１００は、図３１に示すように、ホーム位置に現像ユニット本体４０を移動させ（ステップ５０９）、当該動作を終了する。なお、上記ユーザーインターフェース１０１には、トナーエンド状態であるトナーカートリッジの色、及び当該トナーカートリッジを交換する必要がある旨等が表示される。
【０１８６】
このとき、上記コントローラー１００は、ユーザーが白黒の画像プリントを希望する場合であって、トナーエンド状態であるトナーカートリッジ６Ｋ、６Ｙ、６Ｍ、６Ｃが黒色のトナーカートリッジ６Ｋでない場合には、そのままスタートボタンを押したり、プリント指示を出力することによって、直ちに白黒モードのプリント動作を開始することができるように制御するようになっている。
【０１８７】
また、ユーザーがトナーエンド状態であるトナーカートリッジの交換を希望する場合には、図１０に示すように、トナー残量確認・交換画面１０５において、指定ボタン１０６Ｋ、１０６Ｙ、１０６Ｍ、１０６Ｃを押動することにより、交換を行うトナーカートリッジ６の色を指定して、交換を行うトナーカートリッジ６を、図３４に示すように、交換位置に移動させるべく、現像ユニット本体４０を回転させ、交換口６３を介してトナーカートリッジ６を新しいものと交換するようになっている。このトナーカートリッジ６の交換時のように、メンテナンス用カバー１１０の開閉が行われた場合などには、前述したように、トナーリカバリー動作が行われる。
【０１８８】
一方、上記コントローラー１００は、図３５に示すように、ステップ５０５において、少なくとも１色のトナーカートリッジ６Ｋ、６Ｙ、６Ｍ、６Ｃともトナーエンド状態でないと判別した場合には、少なくとも１色のトナーカートリッジ６Ｋ、６Ｙ、６Ｍ、６Ｃがトナーニアエンド状態であるか否かを判別する（ステップ５１０）。そして、少なくとも１色のトナーカートリッジ６Ｋ、６Ｙ、６Ｍ、６Ｃがトナーニアエンド状態であると判別した場合には、ユーザーインターフェース１０１にトナーニアエンド状態である旨を表示し（ステップ５１１）、ジョブエンドか否かを判別する（ステップ５１２）。そして、ジョブエンドでない場合には、ステップ５０１に戻り、ジョブエンドである場合には、現像ユニット本体４０をホーム位置に移動させて（ステップ５０９）、当該動作を終了する。
【０１８９】
また、少なくとも１色のトナーカートリッジ６Ｋ、６Ｙ、６Ｍ、６Ｃともトナーニアエンド状態でないと判別された場合には、直ちに、ジョブエンドか否かを判別し（ステップ５１２）、ジョブエンドでない場合には、ステップ５０１に戻り、ジョブエンドである場合には、現像ユニット本体４０をホーム位置に移動させて（ステップ５０９）、当該動作を終了する。
【０１９０】
このように、上記実施の形態４では、トナーカートリッジ６Ｋ、６Ｙ、６Ｍ、６Ｃが未装着であることを検知した場合であっても、トナーカートリッジ６Ｋ、６Ｙ、６Ｍ、６Ｃがトナーエンド状態でなければ、プリント動作を実行可能とするように構成されている。
【０１９１】
なお、上記実施の形態４では、トナーカートリッジ６Ｋ、６Ｙ、６Ｍ、６Ｃのトナーエンド状態で、ジョブが停止するように設定したが、トナーカートリッジ６Ｋ、６Ｙ、６Ｍ、６Ｃのトナーニアエンド状態で、ジョブが停止するように設定しても良い。
【０１９２】
また、無線クラムを用いたトナーカートリッジ６Ｋ、６Ｙ、６Ｍ、６Ｃの有無検知は、ジョブ中でなく装置の電源ＯＮ時やカバークローズ時に行うように構成しても良い。
【０１９３】
さらに、上記有無検知手段によって特定色のトナー容器が未装着であることが検知された場合には、画像形成動作を実行不可とするように構成しても良い。
【０１９４】
又、上記有無検知手段によって特定色以外のトナー容器が未装着であることが検知された場合であっても、前記トナー残量検出手段によって検出された当該トナー容器のトナー残量が所定残量以下でなければ、画像形成動作を実行可能とするように構成しても良い。
【０１９５】
更に、上記情報読取手段によって特定色のトナー容器の情報読取が失敗した場合は、画像形成動作を不可とし、特定色以外のトナー容器の情報読取が失敗した場合であっても、前記トナー残量検出手段によって検出された当該トナー容器のトナー残量が所定残量以下でなければ、画像形成動作を実行可能とするように構成しても良い。
【０１９６】
上記実施の形態４では、トナーカートリッジのトナー残量が所定残量以下でなければ、画像形成動作が実行できる構成であるが、これに限らず、現像器内のトナー残量が所定残量以下でない場合や、現像器内のトナー濃度が所定濃度以下でない場合に、画像形成動作が実行できる構成としても良い。
【０１９７】
このように、トナー容器が未装着であったり、情報読取手段により情報の読取が失敗した場合であっても、トナー容器や現像器内のトナー残量が所定残量以下でなければ、画像形成動作を実行可能とするように構成することによって、トナー容器の有無検知手段や情報読取手段が故障した場合においても、トナー残量が所定残量以上であれば、サービスマンが修理に来るまで待つことなく出力可能である。
【０１９８】
その他の構成及び作用は、前記実施の形態１と同一であるので、その説明を省略する。
【図面の簡単な説明】
【０１９９】
【図１】図１はこの発明の実施の形態１に係る画像形成装置としての４サイクル方式のフルカラープリンタを示す要部構成図である。
【図２】図２はこの発明の実施の形態１に係る画像形成装置としての４サイクル方式のフルカラープリンタを示す構成図である。
【図３】図３はこの発明の実施の形態１に係る画像形成装置としての４サイクル方式のフルカラープリンタのロータリー現像装置を示す断面構成図である。
【図４】図４はこの発明の実施の形態１に係る画像形成装置としての４サイクル方式のフルカラープリンタの現像装置を示す構成図である。
【図５】図５はこの発明の実施の形態１に係る画像形成装置としての４サイクル方式のフルカラープリンタのトナーカートリジッジを示す構成図である。
【図６】図６はこの発明の実施の形態１に係る画像形成装置としての４サイクル方式のフルカラープリンタの要部を示す構成図である。
【図７】図７はこの発明の実施の形態１に係る画像形成装置としての４サイクル方式のフルカラープリンタの要部を示す構成図である。
【図８】図８はこの発明の実施の形態１に係る画像形成装置としての４サイクル方式のフルカラープリンタの制御回路を示すブロック図である。
【図９】図９はこの発明の実施の形態１に係る画像形成装置としての４サイクル方式のフルカラープリンタを示す外観斜視図である。
【図１０】図１０はこの発明の実施の形態１に係る画像形成装置としての４サイクル方式のフルカラープリンタのユーザーインターフェースを示す構成図である。
【図１１】図１１はこの発明の実施の形態１に係る画像形成装置としての４サイクル方式のフルカラープリンタの動作を示すフローチャートである。
【図１２】図１２はこの発明の実施の形態１に係る画像形成装置としての４サイクル方式のフルカラープリンタの動作を示す説明図である。
【図１３】図１３はこの発明の実施の形態１に係る画像形成装置としての４サイクル方式のフルカラープリンタの動作を示すフローチャートである。
【図１４】図１４はこの発明の実施の形態１に係る画像形成装置としての４サイクル方式のフルカラープリンタの動作を示すフローチャートである。
【図１５】図１５はこの発明の実施の形態１に係る画像形成装置としての４サイクル方式のフルカラープリンタの動作を示すフローチャートである。
【図１６】図１６はこの発明の実施の形態１に係る画像形成装置としての４サイクル方式のフルカラープリンタの動作を示すフローチャートである。
【図１７】図１７はこの発明の実施の形態１に係る画像形成装置としての４サイクル方式の他のフルカラープリンタを示す構成図である。
【図１８】図１８はこの発明の実施の形態１に係る画像形成装置としての４サイクル方式の他のフルカラープリンタを示す構成図である。
【図１９】図１９はこの発明の実施の形態１に係る画像形成装置としての４サイクル方式の他のフルカラープリンタを示す構成図である。
【図２０】図２０はこの発明の実施の形態１に係る画像形成装置としての４サイクル方式の他のフルカラープリンタを示す構成図である。
【図２１】図２１はこの発明の実施の形態１に係る画像形成装置としての４サイクル方式の他のフルカラープリンタを示す構成図である。
【図２２】図２２はこの発明の実施の形態１に係る画像形成装置としての４サイクル方式の他のフルカラープリンタを示す構成図である。
【図２３】図２３はこの発明の実施の形態１に係る画像形成装置としての４サイクル方式の他のフルカラープリンタを示す構成図である。
【図２４】図２４はこの発明の実施の形態２に係る画像形成装置としての４サイクル方式のフルカラープリンタを示す構成図である。
【図２５】図２５はこの発明の実施の形態２に係る画像形成装置としての４サイクル方式のフルカラープリンタを示す構成図である。
【図２６】図２６はこの発明の実施の形態２に係る画像形成装置としての４サイクル方式のフルカラープリンタの動作を示すフローチャートである。
【図２７】図２７はこの発明の実施の形態２に係る画像形成装置としての４サイクル方式のフルカラープリンタを示す構成図である。
【図２８】図２８はこの発明の実施の形態３に係る画像形成装置としての４サイクル方式のフルカラープリンタを示す構成図である。
【図２９】図２９はこの発明の実施の形態３に係る画像形成装置としての４サイクル方式のフルカラープリンタを示す構成図である。
【図３０】図３０はこの発明の実施の形態３に係る画像形成装置としての４サイクル方式のフルカラープリンタの動作を示すフローチャートである。
【図３１】図３１はこの発明の実施の形態４に係る画像形成装置としての４サイクル方式のフルカラープリンタを示す構成図である。
【図３２】図３２はこの発明の実施の形態４に係る画像形成装置としての４サイクル方式のフルカラープリンタを示す構成図である。
【図３３】図３３はこの発明の実施の形態４に係る画像形成装置としての４サイクル方式のフルカラープリンタの制御回路を示すブロック図である。
【図３４】図３４はこの発明の実施の形態４に係る画像形成装置としての４サイクル方式のフルカラープリンタを示す構成図である。
【図３５】図３５はこの発明の実施の形態４に係る画像形成装置としての４サイクル方式のフルカラープリンタの動作を示すフローチャートである。
【符号の説明】
【０２００】
５：ロータリー方式の現像ユニット、５Ｋ、５Ｙ、５Ｍ、５Ｃ：黒（Ｋ）、イエロー（Ｙ）、マゼンタ（Ｍ）、シアン（Ｃ）の現像器、６Ｋ、６Ｙ、６Ｍ、６Ｃ：トナーカートリッジ、４０：現像ユニット本体、６３：トナー容器交換口、６４：トナー濃度検出センサ。
【図１】
0004802683.tif 000002
【図２】
0004802683.tif 000003
【図３】
0004802683.tif 000004
【図４】
0004802683.tif 000005
【図５】
0004802683.tif 000006
【図６】
0004802683.tif 000007
【図７】
0004802683.tif 000008
【図８】
0004802683.tif 000009
【図９】
0004802683.tif 000010
【図１０】
0004802683.tif 000011
【図１１】
0004802683.tif 000012
【図１２】
0004802683.tif 000013
【図１３】
0004802683.tif 000014
【図１４】
0004802683.tif 000015
【図１５】
0004802683.tif 000016
【図１６】
0004802683.tif 000017
【図１７】
0004802683.tif 000018
【図１８】
0004802683.tif 000019
【図１９】
0004802683.tif 000020
【図２０】
0004802683.tif 000021
【図２１】
0004802683.tif 000022
【図２２】
0004802683.tif 000023
【図２３】
0004802683.tif 000024
【図２４】
0004802683.tif 000025
【図２５】
0004802683.tif 000026
【図２６】
0004802683.tif 000027
【図２７】
0004802683.tif 000028
【図２８】
0004802683.tif 000029
【図２９】
0004802683.tif 000030
【図３０】
0004802683.tif 000031
【図３１】
0004802683.tif 000032
【図３２】
0004802683.tif 000033
【図３３】
0004802683.tif 000034
【図３４】
0004802683.tif 000035
【図３５】
0004802683.tif 000036